【事件の表示】
　特許第６５７２２６６号発明「椅子」の特許異議申立事件について、次のとおり決定する。
【結　論】
　許第６５７２２６６号の明細書及び特許請求の範囲を訂正請求書に添付された訂正明細書及び訂正特許請求の範囲のとおり、訂正後の請求項〔２、４〜６〕について訂正することを認める。
　特許第６５７２２６６号の請求項１〜７に係る特許を維持する。
【理　由】
第１　手続の経緯
　特許第６５７２２６６号（以下「本件特許」という。）の請求項１〜７に係る特許についての出願は、２０１４年６月６日（パリ条約による優先権主張外国庁受理　２０１３年６月６日　米国（ＵＳ））を国際出願日とする特願２０１５−５２１５０２号の一部を平成２７年１２月２１日に新たな特許出願（特願２０１５−２４８１４９号）として、さらにその特許出願の一部を平成２９年７月４日に新たな特許出願としたものであって、令和１年８月１６日に特許権の設定登録がされ、同年９月４日に特許掲載公報が発行された。その後、令和２年３月４日に特許異議申立人赤松智信（以下「申立人」という。）より請求項１〜７に対し特許異議の申立てがされ、同年５月１９日付けで取消理由が通知され、その指定期間内である同年７月２２日に意見書の提出及び訂正請求がされ、同年７月３０日付けで訂正請求があった旨が通知されたが（特許法第１２０条の５第５項）、申立人から意見書の提出はなかったものである。　　　　
第２　訂正の適否 
１　訂正の内容 
　令和２年７月２２日付けの訂正請求による訂正（以下「本件訂正」という。）は、本件特許の明細書及び特許請求の範囲を訂正請求書に添付した訂正明細書及び訂正特許請求の範囲のとおり、訂正後の請求項２、４〜６について訂正することを求めるものであり、その内容は以下のとおりである（下線部は訂正箇所を示す。）。 
（１）訂正事項１ 
　特許請求の範囲の請求項２に「前記背枠体のうち前記アッパーメンバーとの取付け部と左右サイドメンバーとの取付け部の間の部位は」とあるのを、「前記背枠体のうち
前記バックフレームの連結部に対する
の
前記バックフレームの縦長メンバーに対する
の
との
（２）訂正事項２
　特許請求の範囲の請求項４に「前記背枠体のうち前記アッパーメンバーとの取付け部と左右サイドメンバーとの取付け部の間の部位は」とあるのを、「前記背枠体のうち
前記バックフレームの連結部に対する
の
前記バックフレームの縦長メンバーに対する
の
との
（３）訂正事項３
　本件特許の願書に添付した明細書（以下「本件明細書」という。）の段落【００２２】に「枠体の左右サイドメンバーは」とあるのを、「
前記背枠体のアッパーメンバーは前記バックフレームの連結部に取付けられて、前記背枠体の
前記バックフレームの連結部に対する
の
前記バックフレームの縦長メンバーに対する
の
との
（３）訂正事項４
　本件明細書の段落【００２４】に「前記背枠体のうち前記アッパーメンバーとの取付け部と左右サイドメンバーとの取付け部の間の部位は」とあるのを、「前記背枠体のうち
前記バックフレームの連結部に対する
前記バックフレームの縦長メンバーに対する
の
との
　上記訂正事項１及び２に係る特許請求の範囲の訂正は、一群の請求項〔２、４〜６〕に対して請求されたものである。
　また、上記訂正事項３及び４に係る明細書の訂正は、一群の請求項〔２、４〜６〕に対して請求されたものである。
２　訂正の適否 
（１）訂正の目的の適否、新規事項の有無、及び特許請求の範囲の拡張・変更の有無 
ア　訂正事項１について 
　訂正事項１は、訂正前の請求項２の「前記背枠体のうち前記アッパーメンバーとの取付け部と左右サイドメンバーとの取付け部の間の部位」という構成が技術的に不明確であったため、訂正前の請求項２の「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」との記載、本件明細書の段落【００９０】の「他方、ロッキングによるモーメントは、背もたれ３に上端部に大きく作用するものであるが、アッパー支持装置１２はサイド支持装置１３に比べて剛性が低くて体圧で撓み変形しやすいため、ロッキングに際して、背もたれ３はその上端部がバックフレーム４の上端部に近づくようにしなり変形し得る。」との記載及び同段落【００９１】の「また、ロッキング状態で人が上半身を右又は左に捩じったり、肩を右又は左にずらしたりすると、アッパー支持装置１２を構成する左右２本のばね部１２ａが不均一に曲がり変形することで、身体のねじりやずらしに追従して背もたれ３が捩じられるように変形し得る。」との記載等を根拠に、上記不明確な記載を正すものである。
　したがって、訂正事項１は、明瞭でない記載の釈明を目的とするものであり、また、新規事項の追加に該当せず、実質上特許請求の範囲を拡張し、又は変更するものでもない。
　　　
イ　訂正事項２について 
　訂正事項２は、訂正前の請求項４の「前記背枠体のうち前記アッパーメンバーとの取付け部と左右サイドメンバーとの取付け部の間の部位」という構成が技術的に不明確であったため、訂正前の請求項４の「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」との記載、本件明細書の段落【００９０】の「他方、ロッキングによるモーメントは、背もたれ３に上端部に大きく作用するものであるが、アッパー支持装置１２はサイド支持装置１３に比べて剛性が低くて体圧で撓み変形しやすいため、ロッキングに際して、背もたれ３はその上端部がバックフレーム４の上端部に近づくようにしなり変形し得る。」との記載及び同段落【００９１】の「また、ロッキング状態で人が上半身を右又は左に捩じったり、肩を右又は左にずらしたりすると、アッパー支持装置１２を構成する左右２本のばね部１２ａが不均一に曲がり変形することで、身体のねじりやずらしに追従して背もたれ３が捩じられるように変形し得る。」との記載等を根拠に、上記不明確な記載を正すものである。
　したがって、訂正事項２は、明瞭でない記載の釈明を目的とするものであり、また、新規事項の追加に該当せず、実質上特許請求の範囲を拡張し、又は変更するものでもない。
ウ　訂正事項３及び４について
　訂正事項３及び４は、上記訂正事項１及び２の訂正に伴い、特許請求の範囲の記載と明細書の記載の整合を図るためのものであるから、明瞭でない記載の釈明を目的とするものであり、また、新規事項の追加に該当せず、実質上特許請求の範囲を拡張し、又は変更するものでもない。　　
３　まとめ 
　以上のとおり、本件訂正は、特許法第１２０条の５第２項ただし書第３号に掲げる事項を目的とするものであり、かつ、同条第９項において準用する同法第１２６条第５項及び第６項の規定に適合するので、訂正後の請求項〔２、４〜６〕についての訂正を認める。
第３　本件発明 
　上記「第２」で述べたとおり、本件訂正は認められるので、本件特許の請求項１〜７に係る発明（以下「本件発明１〜７」という。）は、訂正特許請求の範囲の請求項１〜７に記載された事項により特定される次のとおりのものである。
「【請求項１】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体は、当該背枠体の弾性に抗して前後方向に回動可能な状態で前記バックフレームにて支持されている、
椅子。
【請求項２】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体のうち前記バックフレームの連結部に対する前記アッパーメンバーの取付け部と前記バックフレームの縦長メンバーに対する左右サイドメンバーの取付け部との間の部位は、着座者の体圧によって曲がり変形可能になっている、
椅子。
【請求項３】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記身体支持部は、着座者の体圧によって後ろ向きに凹むように変形可能である、
椅子。
【請求項４】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体のうち前記バックフレームの連結部に対する前記アッパーメンバーの取付け部と前記バックフレームの縦長メンバーに対する左右サイドメンバーの取付け部との間の部位は、着座者の体圧によって曲がり変形可能になっている一方、前記身体支持部は、着座者の体圧によって後ろ向きに凹むように変形可能である、
椅子。
【請求項５】
　前記身体支持部は、前記背枠体に一体に形成された細いステーの群で構成されており、前記ステーの群は左右横長又は縦長の姿勢であり、隣り合ったステーは連結片で連結されており、更に、隣り合ったステーの間隔よりもステーの幅が小さくなっている、
請求項１〜４のうちのいずれかに記載した椅子。
【請求項６】
　前記身体支持部は、前記背枠体とは別部材のメッシュ材で構成されており、前記メッシュ材が前記背枠体に取付けられている、
請求項１〜４のうちのいずれかに記載した椅子。
【請求項７】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記身体支持部は、前記背枠体に一体成形された左右横長又は縦長の多数本のステーを備えた構成であるか、又は、前記背枠体とは別体のメッシュ材からなる構成であって、着座者の体圧によって後ろ向きに凹み変形することが許容されている、
椅子。」
　　　
第４　取消理由通知に記載した取消理由について 
１　取消理由の概要 
　令和２年５月１９日付けで特許権者に通知した取消理由（以下「本件取消理由」という。）の要旨は、次のとおりである。
　本件特許は、特許請求の範囲の記載が特許法第３６条第６項第２号に規定する要件を満たしていない特許出願に対してされたものであるから、取り消すべきものである。
　　　　
２　当審の判断
（１）本件取消理由の内容
ア　請求項２及び４について
　本件特許の特許請求の範囲の請求項２及び４には、「前記背枠体のうち前記アッパーメンバーとの取付け部と左右サイドメンバーとの取付け部の間の部位は、着座者の体圧によって曲がり変形可能になっている」と記載されているが、「着座者の体圧によって曲がり変形可能になっている」部位として、「前記背枠体のうち前記アッパーメンバーとの取付け部と左右サイドメンバーとの取付け部の間の部位」とされる部分（位置）を技術的に特定することができず、当該請求項２及び４に係る発明が不明確である。
イ　請求項５及び６について
　請求項２及び４を引用する請求項５及び６に係る発明も、上記アの理由と同様に不明確である。
（２）判断
　上記「第２」で述べたとおり、訂正事項１及び２により、請求項２及び４の「前記背枠体のうち前記アッパーメンバーとの取付け部と左右サイドメンバーとの取付け部の間の部位は」との記載は、「前記背枠体のうち
前記バックフレームの連結部に対する
の
前記バックフレームの縦長メンバーに対する
の
との
　　　
第５　取消理由において採用しなかった特許異議申立理由について
１　特許異議申立理由の要旨
　申立人は、証拠として甲第１〜９号証（以下「甲１〜９」ということもある。）を提出し、概略以下のとおり主張している。
（１）申立理由１（特許法第２９条第２項）
ア　請求項１に係る発明は、甲１、４、６に記載された発明及び周知技術１（甲３〜６）、または、甲１、４、７に記載された発明及び周知技術１に基いて、
イ　請求項２に係る発明は、甲１、４、８に記載された発明及び周知技術１に基いて、
ウ　請求項３に係る発明は、甲１、４に記載された発明及び周知技術１、または、甲１、４、８に記載された発明及び周知技術１に基いて、
エ　請求項４に係る発明は、甲１、４、８に記載された発明及び周知技術１に基いて、
オ　請求項５に係る発明は、甲１、４、６に記載された発明、甲５に記載された事項及び周知技術１、または、甲１、４、７に記載された発明、甲５に記載された事項及び周知技術１に基いて、
カ　請求項６に係る発明は、甲１、４、６に記載された発明、周知技術１及び周知技術２（甲２、３、９）、または、甲１、４、７に記載された発明、周知技術１及び周知技術２に基いて、
キ　請求項７に係る発明は、甲１、４、５に記載された発明及び周知技術１、または、甲１、４に記載された発明、周知技術１及び周知技術２に基いて、
　その出願前にその発明の属する技術の分野における通常の知識を有する者が容易に発明をすることができたものであるから、特許法第２９条第２項の規定により特許を受けることができない。
・甲第１号証：特許第４１０４２８６号公報
・甲第２号証：特開２０１０−１５８３３５号公報
・甲第３号証：特開２０１０−９９１０３号公報
・甲第４号証：特開２０１１−９２５３８号公報
・甲第５号証：特許第５１３２９１７号公報
・甲第６号証：特許第４３１６７４８号公報 
・甲第７号証：特許第５４６０９９７号公報
・甲第８号証：特許第４２６１００１号公報 
・甲第９号証：特開２００９−１１２３５９号公報
　なお、上記甲第７号証は、本件特許出願の優先日後に発行されたものと認められる。
　　　
（２）申立理由２（特許法第３６条第６項第１号）
ア　請求項１について
　請求項１の「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」との記載からは、背枠体のアッパーメンバーがバックフレームの連結部に直接取付けられるもの、及び背枠体の左右サイドメンバーがバックフレームの左右縦長メンバーに直接取付けられるものを包含することになるが、本件明細書には、そのような構成は記載も示唆もない。したがって、本件発明１は、本件明細書の発明の詳細な説明に記載した範囲を越えるものである。
イ　請求項２〜７について
　請求項２〜７についても、上記アと同様のことがいえるから、本件発明２〜７は、本件明細書の発明の詳細な説明に記載した範囲を越えるものである。
（３）申立理由３（特許法第３６条第６項第２号）
　本件特許は、特許請求の範囲の記載が以下の点で特許法第３６条第６項第２号に規定する要件を満たしていない特許出願に対してされたものである。
ア　請求項１について
　請求項１には、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」と記載されているが、その意味を複数解釈できるから、不明瞭である。
イ　請求項２〜７について
　請求項２〜７についても、上記アと同様のことがいえるから、請求項２〜７の記載は不明瞭である。
（４）申立理由４（特許法第３６条第４項第１号）
　請求項６には、「前記背枠体とは別部材のメッシュ材で構成されており」と記載され、請求項７には、「前記背枠体とは別体のメッシュ材からなる構成であって、着座者の体圧によって後ろ向きに凹み変形することが許容されている」と記載されているが、「メッシュ材」に関し、本件明細書の発明の詳細な説明には、何ら記載や示唆がなされておらず、その材料や構造等が明らかでない。
　したがって、本件明細書の発明の詳細な説明は、当業者が本件発明６及び７を実施することができる程度に明確かつ十分に記載したものでないから、特許法第３６条第４項第１号に規定する要件を満たしていない。
（５）申立理由５（特許法第１７条の２第３項）
ア　請求項１について
　請求項１には、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」と記載されているが、願書に最初に添付した明細書、特許請求の範囲又は図面（以下「当初明細書等」という。）には、そのような記載も示唆もなく、また、当初明細書等から自明の事項ともいえない。
　したがって、請求項１の記載は、当初明細書等に記載した事項の範囲内においてしたものではない。
イ　請求項２〜７について
　請求項２〜７についても、上記アと同様のことがいえるから、請求項２〜７の記載は、当初明細書等に記載した事項の範囲内においてしたものではない。
　
２　当審の判断
２−１　申立理由１（特許法第２９条第２項）について
２−１−１　各甲号証の記載事項等 
（１）甲１の記載事項等
（１−１）甲１の記載事項
　なお、下線は当審で付した。以下同様。 
（１ａ）「【０００１】
（背景）
本発明は、
椅子に関する。
・・・
【００２７】
本発明を具現する
椅子構造体２０
は、キャスター付きベースアセンブリ２１と、
ベース２１に回動可能に取り付けられたリクライニング式背もたれアセンブリ２２とを備えている。座部アセンブリ２４
がその後部で座部傾動軸線２５回りに移動するように背もたれ２２に回動可能に取り付けられている。
座部２４がその前部で線形軸受け
によってベース２１上に摺動可能に支持されている
【００２８】
ベースは制御部ハウジング２６を備えている。座部２４を後方に押しつけるために、主エネルギ機構２７（図８）が制御部ハウジング２６内に作動可能に配置されている。背もたれ２２および座部２４が相互連結されているため、座部２４を後方に押しつけると、背もたれ２２が直立位置の方に押しつけられる。主エネルギ機構２７（図８）は、制御部ハウジング２６内に横方向に配置されてトルク部材またはレバー５４に作動係合した主スプリング２８を含む。主スプリング２８によって与えられる張力およびトルクは、やはり実質的に制御部ハウジング２６内に配置された調節式モーメント腕シフト（ＭＡＳ）システム２９によって調節可能である。目隠しカバー２６’（図１）が制御部ハウジング２６と座部２４の下側との間の部分を覆っている。
背もたれアセンブリ２２は、
背もたれフレーム３０
を含む。
背もたれシェル構造体３１が、
背もたれフレーム３０に上部連結部３２および底部連結部３３で回動可能に取り付けられている。良好な腰部圧迫を与えるように最適化した前方凸状曲線形になるように背もたれシェル３１を前方に押しつけるために、ねじり調節可能な腰部支持スプリング機構３４が設けられている。
・・・
【００４２】
背もたれフレーム３０
は曲線形であり、椅子２０の背もたれ領域を横切るアーチを形成している。
背もたれフレーム３０はループ状またはアーチ形の内部金属補強部材１０２と、密着状の外部高分子スキンまたはカバー１０３とを含む。
金属補強部材１０２は、円形断面を有するループ状の中間ロッド部分１０４
を含む。
１つまたは２つのＴ字形上部ピボットコネクタ１０７が中間部分１０４の上部分付近に取り付けられている。
各コネクタ１０７
は、中間部分１０４に溶接されたステム１０８を含むと共に、ステム１０８を貫通した横方向ロッド部分１０９を含む。
背もたれシェル３１の対応のリセスにスナップ式に摩擦および回動係合して水平軸線回りに回転可能である。
・・・
【００５０】
具体的に言うと、
本背もたれシェル構造体３１（
は、
高分子材料で形成された弾性的にたわみ可能な成形シートを有し、それに上下クッションが配置されている
背もたれシェル３１
腰部領域に位置する下半分に複数の水平方向スロット１２５’を有する。スロット１２５’は実質的に背もたれシェル３１を横切って延在しているが、側部から間隔を置いた位置で終わっているため、弾性的な垂直材料バンド１２６が各縁部に沿って形成される。
バンド１２６によって背もたれシェルは、横方向および垂直方向に形を変えて、ユーザの背中の形状になじむように一致することができる。
【００５１】
ベルトブラケット１３２
が
中央ストリップ
１３３を含み、これは背もたれシェル３１の底縁部の形状に一致して背もたれシェル３１の底縁部内に成形されている。
ストリップ１３３は、ストリップ１３３の端部から前方に延出した
フランジ１３４を含み、これに開口１３５が設けられている。ねじり調節腰部機構３４がフランジ１３４に係合して、背もたれシェル３１を背もたれフレームに位置１１３
で回動可能に取り付ける。ねじり調節腰部スプリング機構３４は調節可能であって、背もたれシェル３１を前方凸状形に押しつけることによって、腰掛けているユーザに最適の腰部支持を行う。ねじり調節腰部スプリング機構３４は背もたれシェル３１の弾性たわみ性
の形状変更可能性と協働して、腰掛けているユーザの高度に調節可能で快適な背中支持を行う。
（１ｂ）甲第１号証には、以下の図が示されている。
　
（１−２）認定事項
　甲１（摘示（１ａ）（１ｂ））には、「椅子」に関する技術について開示されているところ（段落【０００１】）、以下の事項が認定できる。
ア　段落【００２７】の記載より
・椅子構造体２０は、キャスター付きベースアセンブリ２１と、キャスター付きベースアセンブリ２１に回動可能に取り付けられたリクライニング式背もたれアセンブリ２２とを備えていること
・座部アセンブリ２４がその後部で座部傾動軸線２５回りに移動するようにリクライニング式背もたれアセンブリ２２に回動可能に取り付けられているとともに、その前部で線形軸受けによってキャスター付きベースアセンブリ２１上に摺動可能に支持されていること
イ　段落【００２８】の記載より
・リクライニング式背もたれアセンブリ２２は、背もたれフレーム３０を含み、背もたれシェル構造体３１が、背もたれフレーム３０に上部連結部３２および底部連結部３３で回動可能に取り付けられていること
・良好な腰部圧迫を与えるように最適化した前方凸状曲線形になるように背もたれシェル構造体３１を前方に押しつけるために、ねじり調節可能な腰部支持スプリング機構３４が設けられていること
ウ　段落【００４２】の記載より
・背もたれフレーム３０は曲線形であり、椅子構造体２０の背もたれ領域を横切るアーチを形成しているとともに、ループ状またはアーチ形の内部金属補強部材１０２と、密着状の外部高分子スキンまたはカバー１０３とを含むこと
・内部金属補強部材１０２は、円形断面を有するループ状の中間ロッド部分１０４を含み、１つまたは２つのＴ字形上部ピボットコネクタ１０７が中間ロッド部分１０４の上部分付近に取り付けられていること
・各Ｔ字形上部ピボットコネクタ１０７は、中間ロッド部分１０４に溶接されたステム１０８を含むとともに、ステム１０８を貫通した横方向ロッド部分１０９を含み、背もたれシェル構造体３１の対応のリセスにスナップ式に摩擦および回動係合して水平軸線回りに回転可能であること
エ　段落【００５０】の記載より
・背もたれシェル構造体３１は、高分子材料で形成された弾性的にたわみ可能な成形シートを有し、それに上下クッションが配置されており、腰部領域に位置する下半分に複数の水平方向スロット１２５’を有し、水平方向スロット１２５’は実質的に背もたれシェル構造体３１を横切って延在しているが、側部から間隔を置いた位置で終わっているため、弾性的な垂直材料バンド１２６が各縁部に沿って形成されること
・垂直材料バンド１２６によって背もたれシェル構造体３１は、横方向および垂直方向に形を変えて、ユーザの背中の形状になじむように一致することができること
オ　段落【００５１】の記載より
・ベルトブラケット１３２が中央ストリップ１３３を含み、これは背もたれシェル構造体３１の底縁部の形状に一致して背もたれシェル構造体３１の底縁部内に成形されていること
・中央ストリップ１３３は、中央ストリップ１３３の端部から前方に延出したフランジ１３４を含み、これに開口１３５が設けられていること
・ねじり調節腰部機構３４がフランジ１３４に係合して、背もたれシェル構造体３１を背もたれフレーム３０に位置１１３で回動可能に取り付け、ねじり調節腰部スプリング機構３４は調節可能であって、背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行うこと
（１−３）甲１に記載された発明
　以上によれば、甲１には、次の発明（以下「甲１発明」という。）が記載されているものと認められる。 
「キャスター付きベースアセンブリ２１と、キャスター付きベースアセンブリ２１に回動可能に取り付けられたリクライニング式背もたれアセンブリ２２とを備えている、椅子構造体２０であって、
　座部アセンブリ２４がその後部で座部傾動軸線２５回りに移動するようにリクライニング式背もたれアセンブリ２２に回動可能に取り付けられているとともに、その前部で線形軸受けによってキャスター付きベースアセンブリ２１上に摺動可能に支持されており、
　リクライニング式背もたれアセンブリ２２は、背もたれフレーム３０を含み、背もたれシェル構造体３１が、背もたれフレーム３０に上部連結部３２および底部連結部３３で回動可能に取り付けられ、
　良好な腰部圧迫を与えるように最適化した前方凸状曲線形になるように背もたれシェル構造体３１を前方に押しつけるために、ねじり調節可能な腰部支持スプリング機構３４が設けられ、
　背もたれフレーム３０は曲線形であり、椅子構造体２０の背もたれ領域を横切るアーチを形成しているとともに、ループ状またはアーチ形の内部金属補強部材１０２と、密着状の外部高分子スキンまたはカバー１０３とを含み、
　内部金属補強部材１０２は、円形断面を有するループ状の中間ロッド部分１０４を含み、１つまたは２つのＴ字形上部ピボットコネクタ１０７が中間ロッド部分１０４の上部分付近に取り付けられ、
　各Ｔ字形上部ピボットコネクタ１０７は、中間ロッド部分１０４に溶接されたステム１０８を含むとともに、ステム１０８を貫通した横方向ロッド部分１０９を含み、背もたれシェル構造体３１の対応のリセスにスナップ式に摩擦および回動係合して水平軸線回りに回転可能であり、
　背もたれシェル構造体３１は、高分子材料で形成された弾性的にたわみ可能な成形シートを有し、それに上下クッションが配置されており、腰部領域に位置する下半分に複数の水平方向スロット１２５’を有し、水平方向スロット１２５’は実質的に背もたれシェル構造体３１を横切って延在しているが、側部から間隔を置いた位置で終わっているため、弾性的な垂直材料バンド１２６が各縁部に沿って形成され、
　垂直材料バンド１２６によって背もたれシェル構造体３１は、横方向および垂直方向に形を変えて、ユーザの背中の形状になじむように一致することができ、
　ベルトブラケット１３２が中央ストリップ１３３を含み、これは背もたれシェル構造体３１の底縁部の形状に一致して背もたれシェル構造体３１の底縁部内に成形され、
　中央ストリップ１３３は、中央ストリップ１３３の端部から前方に延出したフランジ１３４を含み、これに開口１３５が設けられ、
　ねじり調節腰部機構３４がフランジ１３４に係合して、背もたれシェル構造体３１を背もたれフレーム３０に位置１１３で回動可能に取り付け、ねじり調節腰部スプリング機構３４は調節可能であって、背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う、
　椅子構造体２０。」
　　　 　 
（２）甲２の記載事項
　甲２には次の事項が記載されている。　
（２ａ）「【０００１】
　
本発明は、椅子における張材の張設構造
関する。
・・・
【００２５】
　図１〜図３に示すように、本発明のリクライニング椅子１は、先端部にキャスタ２が設けられた放射状をなす５本の脚杆３を有する脚体４と、この脚体４の中央に立設された、ガススプリング(図示略)を備える伸縮式の脚柱５と、この脚柱５の上端に後部が固着された支基６を介して起立させた背凭れ７とより構成されている。
・・・
【００３９】
　図４〜図６に示すように、
背凭れ７は、メッシュ状の張材２７と、この張材２７が前面に張設され、かつ中央に開口した空間部２８を閉塞しうる背凭れフレームである枠体２９によって構成されている。
（３）甲３の記載事項
　甲３には次の事項が記載されている。　
（３ａ）「【０００１】
　
本願発明は、背もたれが弾性手段（ばね手段）に抗して後傾するロッキング椅子に関し
・・・
【００２５】
　
背もたれ５は、正面視略四角形のバックフレーム１３にサポートシート１４が張られた構成であり
サポートシート１４は縦長の疎部と密部とが左右方向に交互に配置された縦縞模様の外観を呈しており
【００２６】
　例えば図４に示すように、
バックフレーム１３は樹脂の成形品であり、上下方向に長く延びる左右サイドメンバー１６と、左右サイドメンバー１６の上端に繋がったアッパーメンバー１７と、左右サイドメンバー１６の下端に繋がったロアメンバー１８とから成っている。従って、バックフレーム１３は正面視で略四角形の形態を成している。
（４）甲４の記載事項
　甲４には次の事項が記載されている。　
（４ａ）「【０００１】
　
本願発明は、椅子用の背板ユニット及び背もたれに関する。
・・・
【００１８】
　(1).概略
　図１，２に示すように、椅子は、脚支柱（ガスシリンダ）１のみを表示した脚装置、脚支柱１の状態に固定したベース２、ベース２の上方に配置した座３、座３の後ろに配置された背もたれ４を有している。
・・・
【００２０】
　図３に示すように、
バックフレーム５は、その左右側部を構成する上下長手の左右サイドフレーム８と、左右サイドフレーム８の上端に繋がった横長のアッパーフレーム９と、左右サイドフレーム８の下端に繋がった左右長手のロアフレーム１０とを有しており、全体として略四角形で前後に開口した枠状になっている。
・・・
【００２７】
　
背板６はポリプロピレンやナイロン樹脂のような合成樹脂製を材料にした成形品であり
上下長手の左右のサイドメンバー１６と、サイドメンバー１６の上端間に一体に繋がったアッパーメンバー１７と、左右サイドメンバー１６の下端に一体に繋がったロアメンバー１８とで略四角形の外形を構成し、更に、その内部には、左右サイドメンバー１６に繋がった横長サポート板１９が多段に配置されている。
・・・
【００３７】
　図４，５に示すように、
背板６におけるサイドメンバー１６の溝内には、側面視で下向き鉤形の第１係合爪３０が上下に離反して２個形成されている一方、バックフレーム５のサイドフレーム８には、第１係合爪３０と噛み合う上向き鉤形の第２係合爪３１が上下に離反して２個形成されている。これら係合爪３０，３1 は
これらの噛み合いにより、背板６はバックフレーム５に対して前向き移動不能に保持されている。
（５）甲５の記載事項
　甲５には次の事項が記載されている。　
（５ａ）「【０００１】
　
本発明は、座体の後部から上方に延出した背凭れフレームの前面に、合成樹脂等の硬質弾性体からなる背板を支持してなる椅子の背凭れ装置に関する。
・・・
【００１７】
　図１に示すように、本発明における椅子は、座体１の後部から上方に延出された背凭れフレーム２の前面に、合成樹脂等の硬質弾性体からなる背板３が支持されている。
【００１８】
　
背板３は、
背板３の周縁、すなわち左右側部と上下端部とを高剛性の枠部４とし、このやや縦長のほぼ四角形の枠部４より内方の部位を、着座者の背中による後向きの荷重によって弾性変形する可撓部５としてある。この可撓部５は、前面から後面へ貫通する縦長の開口部６を多数設けることにより弾性変形が容易なように形成されている。
（６）甲６の記載事項
　甲６には次の事項が記載されている。　
（６ａ）「【０００１】
【発明の属する技術分野】
　
本発明は、
リクライニング式の椅子
その背凭れの取付構造に関する。
・・・
【００１２】
　図４から明らかなように、
支持枠(１)は、リクライニング機構(５)の左右両側部から延びる縦杆(７)の上端同士を横杆(８)により連結して構成されている。
　
縦杆(７)の上部すなわち横杆(８)との連結部には、
係合突起(９)が、前向きに突設され、かつ縦杆(７)の下部前面には、
嵌合溝(10a)を有する包持片(10)が突設されている。
【００１３】
　
背凭れ板(２)は、
周辺部を除いて、エキスパンドメタル状の形状に中抜きされた硬質合成樹脂等の硬質弾性材の成型板であり
支持枠(１)の上部の係合突起(９)に対応する位置に、この係合突起(９)が嵌合係止される係合孔(11)が穿設されている。
【００１４】
　
背凭れ板(２)の下部の左右側端部には、支持枠(１)の下部の包持片(10)と対応する位置に、嵌合溝(10a)に上方より圧嵌される
膨出部(12)が形成されている
（７）甲７の記載事項（なお、甲７は、本件特許出願の優先日後に発行されたものと認められる。）
　甲７には次の事項が記載されている。　
（７ａ）「【０００１】
　
本発明は、ヒンジ構造とそれを用いた椅子の背もたれの支持構造に関する。
・・・
【００２２】
　図１〜図１０に、本発明のヒンジ構造を椅子の背もたれと背支持部材との連結に適用した実施形態の一例を示す。この
椅子の背もたれ支持構造は、変形可能な弾力性を備える背板２によって構成される背もたれをＴ形の背支持部材３によって少なくとも３点で支えるようにしたもの
背板２の上部の左右の２点をヒンジ機構１を介して背フレーム３で可動的に連結して支持させるようにしたものである。
背板２の下端部は取付部２ｃを介して
背支桿に取り付けられる。
背フレーム４の下端も
背支桿に取り付けられて支持される。
（８）甲８の記載事項
　甲８には次の事項が記載されている。　
（８ａ）「【０００１】
【発明の属する技術分野】
本発明は、
リクライニング時に安定した姿勢を確保できるようにした椅子に関する。
・・・
【００２０】
背凭れ板(26)は、
周辺部を除いて、エキスパンデッドメタル状の形状に中抜きされ、中間部左右両端部に弱体化部分(30)を形成した、硬質合成樹脂等の硬質弾性材の成型板である。
・・・
【００２３】
図２において、
背凭れフレーム(18)の上部の係合突起(24)を、背凭れ板(26)の上部の係合孔(28)の大径孔に差し込み、
背凭れ板(26)の下部の水平軸(32)を、背凭れフレーム(18)の下部の水平軸受(22)の開口部に臨ませ、背凭れ板(26)を、そのまま押し下げると
両者は連結される
（９）甲９の記載事項
　甲９には次の事項が記載されている。　
（９ａ）「【０００１】
　
本発明は、背フレームに、可撓性の張り材を張設してなる椅子の背凭れに関する。
・・・
【００１７】
　
背凭れ１０は、下部フレーム１１と上部フレーム１２とからなる背フレーム１３と、背フレーム１３に張設される張り材１４とを備えている。
・・・
【００２０】
　
張り材１４は、
合成繊維を１枚のメッシュ状に編むか、織るなどして長方形状に形成され
２−１−２　検討
（１）本件発明１について
（１−１）対比
　本件発明１と甲１発明とを対比する。 
ア　甲１発明の「座部アセンブリ２４」及び「背もたれシェル構造体３１」は、本件発明１の「座」及び「背もたれ」に相当する。
イ　甲１発明の「背もたれフレーム３０」は、本件発明１の「バックフレーム」に相当する。
　また、甲１発明は、「背もたれシェル構造体３１が、背もたれフレーム３０に上部連結部３２および底部連結部３３で回動可能に取り付けられ」るものであるところ、上記「背もたれフレーム３０」は、「椅子構造体２０の背もたれ領域を横切るアーチを形成しているとともに、ループ状またはアーチ形の内部金属補強部材１０２と、密着状の外部高分子スキンまたはカバー１０３とを含み」構成されているから、剛体構造をなし、さらに、背もたれシェル構造体３１の後ろに配置されることが明らかである。
　したがって、甲１発明の上記「背もたれフレーム３０」は、上記アをも踏まえると、本件発明１の「前記背もたれの後ろに配置された剛体構造のバックフレーム」に相当するものといえる。
ウ　引用発明の「椅子構造体２０」は、甲１発明の「椅子」に相当する。
　そして、甲１発明の「椅子構造体２０」は、「座部アセンブリ２４」、「背もたれシェル構造体３１」及び「背もたれフレーム３０」を備えて構成されることから、かかる構成は、本件発明１の「椅子」における、「座と背もたれ、及び、前記背もたれの後ろに配置された剛体構造のバックフレームとを備えており」という構成に相当するものといる。
エ　甲１発明の「背もたれフレーム３０」は「曲線形であり、椅子構造体２０の背もたれ領域を横切るアーチを形成している」ところ、そのように「曲線形」で「アーチを形成」した形状・構造は、図４Ａ等の図示内容に照らして、左右の縦長メンバーと、左右の縦長メンバーが繋がった連結部とを有した形状・構造ということができるから、かかる「背もたれフレーム３０」の構成は、本件発明１の「バックフレーム」における「左右の縦長メンバーと、前記左右の縦長メンバーが繋がった連結部とを有し」という構成に相当するものといえる。
　したがって、本件発明１と甲１発明とは、
「座と背もたれ、及び、前記背もたれの後ろに配置された剛体構造のバックフレームとを備えており、
　前記バックフレームは、左右の縦長メンバーと、前記左右の縦長メンバーが繋がった連結部とを有している、椅子。」
の点で一致し、以下の点で相違する。
＜相違点１＞
「背もたれ」の構成、及び「背もたれ」と「バックフレーム」との取付態様について、
　本件発明１は、
「背もたれ」が「その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成」であり、
「背もたれ」と「バックフレーム」との取付態様が、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、かつ、前記背枠体は、当該背枠体の弾性に抗して前後方向に回動可能な状態で前記バックフレームにて支持されている」のに対し、
甲１発明は、
「背もたれシェル構造体３１」が「高分子材料で形成された弾性的にたわみ可能な成形シートを有し、それに上下クッションが配置されており、腰部領域に位置する下半分に複数の水平方向スロット１２５’を有し、水平方向スロット１２５’は実質的に背もたれシェル構造体３１を横切って延在しているが、側部から間隔を置いた位置で終わっているため、弾性的な垂直材料バンド１２６が各縁部に沿って形成され」ており、
「背もたれシェル構造体３１」と「背もたれフレーム３０」との取付態様が、「背もたれシェル構造体３１が、背もたれフレーム３０に上部連結部３２および底部連結部３３で回動可能に取り付けられ、良好な腰部圧迫を与えるように最適化した前方凸状曲線形になるように背もたれシェル構造体３１を前方に押しつけるために、ねじり調節可能な腰部支持スプリング機構３４が設けられ」、「背もたれフレーム３０」の「内部金属補強部材１０２」は、「円形断面を有するループ状の中間ロッド部分１０４を含み、１つまたは２つのＴ字形上部ピボットコネクタ１０７が中間ロッド部分１０４の上部分付近に取り付けられ、各Ｔ字形上部ピボットコネクタ１０７は、中間ロッド部分１０４に溶接されたステム１０８を含むとともに、ステム１０８を貫通した横方向ロッド部分１０９を含み、背もたれシェル構造体３１の対応のリセスにスナップ式に摩擦および回動係合して水平軸線回りに回転可能であり」、「垂直材料バンド１２６によって背もたれシェル構造体３１は、横方向および垂直方向に形を変えて、ユーザの背中の形状になじむように一致することができ、ベルトブラケット１３２が中央ストリップ１３３を含み、これは背もたれシェル構造体３１の底縁部の形状に一致して背もたれシェル構造体３１の底縁部内に成形され、中央ストリップ１３３は、中央ストリップ１３３の端部から前方に延出したフランジ１３４を含み、これに開口１３５が設けられ、ねじり調節腰部機構３４がフランジ１３４に係合して、背もたれシェル構造体３１を背もたれフレーム３０に位置１１３で回動可能に取り付け、ねじり調節腰部スプリング機構３４は調節可能であって、背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」ように構成されている点。
（１−２）判断
　上記相違点について検討する。
ア　本件発明１は、「背もたれ」の「背枠体」が、「その左右側部を構成する上下長手の左右サイドメンバーと、上端部を構成する左右長手のアッパーメンバーと、下端部を構成するロアメンバーとを有している構成」であるところ、「背もたれ」と「バックフレーム」との取付態様は、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており」として構成されるものである。
イ　他方、甲１発明は、「背もたれシェル構造体３１が、背もたれフレーム３０に上部連結部３２および底部連結部３３で回動可能に取り付けられ」るものであって、「背もたれシェル構造体３１」には「垂直材料バンド１２６が各縁部に沿って形成され」るものであるところ、上記「背もたれシェル構造体３１」と「背もたれフレーム３０」との取付態様は、少なくとも、「ねじり調節可能な腰部支持スプリング機構３４」をも含めて、「垂直材料バンド１２６によって背もたれシェル構造体３１は、・・・ベルトブラケット１３２が中央ストリップ１３３を含み、これは背もたれシェル構造体３１の底縁部の形状に一致して背もたれシェル構造体３１の底縁部内に成形され、中央ストリップ１３３は、中央ストリップ１３３の端部から前方に延出したフランジ１３４を含み、これに開口１３５が設けられ、ねじり調節腰部機構３４がフランジ１３４に係合して、背もたれシェル構造体３１を背もたれフレーム３０に位置１１３で回動可能に取り付け」られるように構成されるものである。
ウ　そこで、甲１発明において、上記「底部連結部３３」の構成、より具体的には、上記「ねじり調節腰部機構３４がフランジ１３４に係合して、背もたれシェル構造体３１を背もたれフレーム３０に位置１１３で回動可能に取り付け」た構成（以下「構成Ａ」ということもある。）を、本件発明１の「前記背枠体の左右サイドメンバーは、それぞれ中途高さ位置が前記バックフレームの左右縦長メンバーに取付けられており」という構成に変更することが可能であるのか否か、検討する。
エ　上記構成Ａの「位置１１３」は、図４Ａにも示されているとおり、「背もたれシェル構造体３１」及び「背もたれフレーム３０」に対する下側の端部の位置ということができる。
　また、甲１発明は、「背もたれシェル構造体３１を背もたれフレーム３０に位置１１３で回動可能に取り付け、ねじり調節腰部スプリング機構３４は調節可能であって、背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」ものである。
　したがって、甲１発明は、少なくとも、背もたれシェル構造体３１を背もたれフレーム３０に位置１１３である「下側の端部の位置」で回動可能に取り付けることを前提として、「背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」（以下「構成Ｂ」ということもある。）ものということができる。
　そうすると、甲１発明において、上記構成Ａは、上記構成Ｂの「腰掛けているユーザの高度に調節可能で快適な背中支持を行う」ために必要な前提構造として位置づけられるものというべきであるから、そのような前提構造として技術的意義のある上記構成Ａの「位置１１３」を変更することの動機付けはなく、むしろ阻害要因が存在するというべきである。
オ　申立人は、本件発明１は、甲１、４、６に記載された発明及び周知技術１（甲３〜６）、または、甲１、４、７に記載された発明及び周知技術１に基いて、当業者が容易に発明をすることができたものである、と主張するので検討する。
（ア）甲４（摘示（４ａ））には、椅子用の背板ユニット及び背もたれに関し（段落【０００１】）、バックフレーム５を、その左右側部を構成する上下長手の左右サイドフレーム８と、左右サイドフレーム８の上端に繋がった横長のアッパーフレーム９と、左右サイドフレーム８の下端に繋がった左右長手のロアフレーム１０とを有し、全体として略四角形で前後に開口した枠状に構成すること（段落【００２０】）、背板６を、下長手の左右のサイドメンバー１６と、サイドメンバー１６の上端間に一体に繋がったアッパーメンバー１７と、左右サイドメンバー１６の下端に一体に繋がったロアメンバー１８とで略四角形の外形に構成すること（段落【００２７】）、及び、背板６におけるサイドメンバー１６の溝内に、側面視で下向き鉤形の第１係合爪３０が上下に離反して２個形成し、バックフレーム５のサイドフレーム８に、第１係合爪３０と噛み合う上向き鉤形の第２係合爪３１が上下に離反して２個形成し、これら係合爪３０，３1の噛み合いにより、背板６をバックフレーム５に対して前向き移動不能に保持すること（段落【００３７】）が記載されている（以下「甲４記載の技術事項」という。）。
（イ）甲６（摘示（６ａ））には、リクライニング式の椅子の背凭れの取付構造に関し（段落【０００１】）、支持枠(１)は、リクライニング機構(５)の左右両側部から延びる縦杆(７)の上端同士を横杆(８)により連結して構成されており、縦杆(７)の上部すなわち横杆(８)との連結部には、係合突起(９)が、前向きに突設され、かつ縦杆(７)の下部前面には、嵌合溝(10a)を有する包持片(10)が突設されていること（段落【００１２】）、背凭れ板(２)は、支持枠(１)の上部の係合突起(９)に対応する位置に、この係合突起(９)が嵌合係止される係合孔(11)が穿設されていること（段落【００１３】）、及び、背凭れ板(２)の下部の左右側端部には、支持枠(１)の下部の包持片(10)と対応する位置に、嵌合溝(10a)に上方より圧嵌される左右方向の短軸形の膨出部(12)が形成されていること（段落【００１４】）が記載されている（以下「甲６記載の技術事項」という。）。
（ウ）甲７は、本件特許出願の優先日後に発行されたものであるから、上記相違点を検討するための公知文献ということはできないが、仮に、申立人が、甲７の特許公報に対応する公開特許公報である特開２０１０−９４４４９号公報（平成２２年４月３０日出願公開）を証拠として提出したと仮定して、念のため検討すると、甲７（摘示（７ａ）なお、上記公開特許公報にも同様に記載されている。）には、ヒンジ構造とそれを用いた椅子の背もたれの支持構造に関し（段落【０００１】）、椅子の背もたれ支持構造として、変形可能な弾力性を備える背板２によって構成される背もたれをＴ形の背支持部材３によって少なくとも３点で支えるようにしたものであって、背板２の上部の左右の２点をヒンジ機構１を介して背フレーム３で可動的に連結して支持させるようにし、背板２の下端部を取付部２ｃを介して背支桿に取り付けるとともに、背フレーム４の下端も背支桿に取り付け支持すること（段落【００２２】）が記載されている（以下「甲７記載の技術事項」という。）。
（エ）以上を踏まえて検討すると、上記エで述べたとおり、甲１発明において、「ねじり調節腰部機構３４がフランジ１３４に係合して、背もたれシェル構造体３１を背もたれフレーム３０に位置１１３で回動可能に取り付け」た構成（構成Ａ）は、上記構成Ｂの「腰掛けているユーザの高度に調節可能で快適な背中支持を行う」ために必要な前提構造として位置づけられるものであるところ、上記甲４、６及び７の技術事項は、その構造からして、甲１発明における上記構成Ａの「ねじり調節腰部機構３４」を設けた状態で採用できる構成ということはできないから、それら技術事項を適用する動機付けはないし、仮に、甲１発明に上記甲４、６及び７の技術事項を適用すると、上記構成Ａの「ねじり調節腰部機構３４」が除去されることになるから、その適用には阻害要因が存在する。
　また、甲３（摘示（３ａ））には「背もたれ５」に係る構成が記載され（段落【００２５】、【００２６】）、甲４（摘示（４ａ））には「背板６」に係る構成が記載され（段落【００２７】）、甲５（摘示（５ａ））には「背板３」に係る構成が記載され（段落【００１７】）、及び甲６（摘示（６ａ））には「背凭れ板（２）」に係る構成が記載され（段落【００１３】）、それら「背もたれ」の構成が申立人が主張するとおり周知技術１であるとしても、かかる構成は、上記相違点に係る本件発明１の構成ということはできない。したがって、上記周知技術１を考慮しても、上記相違点に係る本件発明１の構成には至らない。
カ　以上のとおりであるから、本件発明１は、申立人が主張するように、甲１、４、６に記載された発明及び周知技術１（甲３〜６）、または、甲１、４、７に記載された発明及び周知技術１に基いて、当業者が容易に発明をすることができたものということはできない。
　　　
（２）本件発明２について
　本件発明２は、上記相違点に係る本件発明１の構成と同様に、「背もたれ」が「その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成」、及び「背もたれ」と「バックフレーム」との取付態様が、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており」との構成を含んで発明を構成するものである。
　してみると、上記「（１）（１−２）」で述べたとおり、少なくとも、背もたれシェル構造体３１を背もたれフレーム３０に位置１１３である「下側の端部の位置」で回動可能に取り付けることを前提として、「背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」甲１発明において、上記「位置１１３」を変更することの動機付けはなく、むしろ阻害要因が存在するというべきである。
　申立人は、本件発明２は、甲１、４、８に記載された発明及び周知技術１（甲３〜６）に基いて、当業者が容易に発明をすることができたものである、と主張する。甲４記載の技術事項及び周知技術１についての検討は、上記「（１）（１−２）」で述べたとおりであるので、以下甲８について検討する。
　甲８（摘示（８ａ））には、リクライニング時に安定した姿勢を確保できるようにした椅子に関し（段落【０００１】）、背凭れ板(26)は、周辺部を除いて、エキスパンデッドメタル状の形状に中抜きされ、中間部左右両端部に弱体化部分(30)を形成した、硬質合成樹脂等の硬質弾性材の成型板であること（段落【００２０】）、及び、背凭れフレーム(18)の上部の係合突起(24)を、背凭れ板(26)の上部の係合孔(28)の大径孔に差し込み、背凭れ板(26)の下部の水平軸(32)を、背凭れフレーム(18)の下部の水平軸受(22)の開口部に臨ませ、背凭れ板(26)を、そのまま押し下げると両者は連結されること（段落【００２３】）が記載されている（以下「甲８記載の技術事項」という。）。
しかし、上記「上記「（１）（１−２）」で述べたとおり、甲１発明における上記構成Ａは、上記構成Ｂの「腰掛けているユーザの高度に調節可能で快適な背中支持を行う」ために必要な前提構造として位置づけられるものであるところ、上記甲８記載の技術事項は、その構造からして、甲１発明における上記構成Ａの「ねじり調節腰部機構３４」を設けた状態で採用できる構成ということはできないから、かかる技術事項を適用する動機付けはないし、仮に、甲１発明に上記甲８記載の技術事項を適用すると、上記構成Ａの「ねじり調節腰部機構３４」が除去されることになるから、その適用には阻害要因が存在する。
　また、上記「（１）（１−２）」」で述べた理由と同様に、甲１発明に、周知技術１を適用しても、本件発明２の構成には至らない。
　以上のとおりであるから、本件発明２は、申立人が主張するように、甲１、４、８に記載された発明及び周知技術１に基いて、当業者が容易に発明をすることができたものということはできない。
（３）本件発明３及び４について
　本件発明３及び４は、上記相違点に係る本件発明１の構成と同様に、「背もたれ」が「その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成」、及び「背もたれ」と「バックフレーム」との取付態様が、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており」との構成を含んで発明を構成するものである。
　してみると、上記「（１）（１−２）」で述べたとおり、少なくとも、背もたれシェル構造体３１を背もたれフレーム３０に位置１１３である「下側の端部の位置」で回動可能に取り付けることを前提として、「背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」甲１発明において、上記「位置１１３」を変更することの動機付けはなく、むしろ阻害要因が存在するというべきである。
　申立人は、本件発明３は、甲１、４に記載された発明及び周知技術１に基いて、または、甲１、４、８に記載された発明及び周知技術１に基いて、当業者が容易に発明をすることができたものである、本件発明４は、甲１、４、８に記載された発明及び周知技術１に基いて、当業者が容易に発明をすることができたものである、と主張する。
　甲４、８記載の技術事項及び周知技術１についての検討は、上記「（１）（１−２）」及び「（２）」で述べたとおりであり、同様の理由により、本件発明３は、、申立人が主張するように、甲１、４に記載された発明及び周知技術１に基いて、または、甲１、４、８に記載された発明及び周知技術１に基いて、当業者が容易に発明をすることができたものということはできないし、本件発明４は、甲１、４、８に記載された発明及び周知技術１に基いて、当業者が容易に発明をすることができたものということはできない。
（４）本件発明５について
　本件発明５は、上記相違点に係る本件発明１の構成と同様に、「背もたれ」が「その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成」、及び「背もたれ」と「バックフレーム」との取付態様が、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており」との構成を含んで発明を構成するものである。
　してみると、上記「（１）（１−２）」で述べたとおり、少なくとも、背もたれシェル構造体３１を背もたれフレーム３０に位置１１３である「下側の端部の位置」で回動可能に取り付けることを前提として、「背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」甲１発明において、上記「位置１１３」を変更することの動機付けはなく、むしろ阻害要因が存在するというべきである。
　申立人は、本件発明５は、甲１、４、６に記載された発明、甲５に記載された事項及び周知技術１に基いて、または、甲１、４、７に記載された発明、甲５に記載された事項及び周知技術１に基いて、当業者が容易に発明をすることができたものである、と主張する。甲４、６、７記載の技術事項及び周知技術１についての検討は、上記「（１）（１−２）」で述べたとおりであるので、以下甲５について検討する。
　甲５（摘示（５ａ））には、座体の後部から上方に延出した背凭れフレームの前面に、合成樹脂等の硬質弾性体からなる背板を支持してなる椅子の背凭れ装置に関し（段落【０００１】）、背板３は、背板３の周縁、すなわち左右側部と上下端部とを高剛性の枠部４とし、このやや縦長のほぼ四角形の枠部４より内方の部位を、着座者の背中による後向きの荷重によって弾性変形する可撓部５としてあり、この可撓部５は、前面から後面へ貫通する縦長の開口部６を多数設けることにより弾性変形が容易なように形成されていること（段落【００１８】）が記載されている（以下「甲５記載の技術事項」という。）。
　しかし、上記「上記「（１）（１−２）」で述べたとおり、甲１発明における上記構成Ａは、上記構成Ｂの「腰掛けているユーザの高度に調節可能で快適な背中支持を行う」ために必要な前提構造として位置づけられるものであるところ、上記甲８記載の技術事項は、その構造からして、甲１発明における上記構成Ａの「ねじり調節腰部機構３４」を設けた状態で採用できる構成ということはできないから、かかる技術事項を適用する動機付けはない。
　また、甲５には、そもそも上記相違点にかかる本件発明５の「背もたれ」と「バックフレーム」との取付態様を開示するものではないから、甲１発明に、甲５記載の技術事項を適用しても、本件発明５の構成には至らない。
　以上のとおりであるから、本件発明５は、申立人が主張するように、甲１、４、６に記載された発明、甲５に記載された事項及び周知技術１に基いて、または、甲１、４、７に記載された発明、甲５に記載された事項及び周知技術１に基いて、当業者が容易に発明をすることができたものということはできない。
（５）本件発明６について
　本件発明６は、上記相違点に係る本件発明１の構成と同様に、「背もたれ」が「その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成」、及び「背もたれ」と「バックフレーム」との取付態様が、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており」との構成を含んで発明を構成するものである。
　してみると、上記「（１）（１−２）」で述べたとおり、少なくとも、背もたれシェル構造体３１を背もたれフレーム３０に位置１１３である「下側の端部の位置」で回動可能に取り付けることを前提として、「背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」甲１発明において、上記「位置１１３」を変更することの動機付けはなく、むしろ阻害要因が存在するというべきである。
　申立人は、本件発明６は、甲１、４、６に記載された発明、周知技術１及び周知技術２（甲２、３、９）、または、甲１、４、７に記載された発明、周知技術１及び周知技術２に基いて、当業者が容易に発明をすることができたものである、と主張する。甲４、６、７記載の技術事項及び周知技術１についての検討は、上記「（１）（１−２）」で述べたとおりであるので、以下甲２、３、９について検討する。
　甲２（摘示（２ａ））には、「メッシュ状の張材２７」を有する「背凭れ７」が記載され（段落【００３９】）、甲３（摘示（３ａ））には
「縦長の疎部と密部とが左右方向に交互に配置された縦縞模様の外観を呈して」構成された「サポートシート１４」を有する「背もたれ５」が記載され（段落【００２５】、【００２６】）、甲９（摘示（９ａ））には、「合成繊維を１枚のメッシュ状に編むか、織るなどして長方形状に形成され」た「張り材１４」を有する「背凭れ１０」が記載されているように（段落【００１７】、【００２０】）、「メッシュ材」を含めて「背もたれ」を構成することが周知技術２であるとしても、かかる構成は、上記相違点に係る本件発明６の構成ということはできない。したがって、上記周知技術２を考慮しても、上記相違点に係る本件発明６の構成には至らない。
　以上のとおりであるから、本件発明６は、申立人が主張するように、甲１、４、６に記載された発明、周知技術１及び周知技術２、または、甲１、４、７に記載された発明、周知技術１及び周知技術２に基いて、当業者が容易に発明をすることができたものということはできない。
　　　
（６）本件発明７について
　本件発明７は、上記相違点に係る本件発明１の構成と同様に、「背もたれ」が「その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成」、及び「背もたれ」と「バックフレーム」との取付態様が、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており」との構成を含んで発明を構成するものである。
　してみると、上記「（１）（１−２）」で述べたとおり、少なくとも、背もたれシェル構造体３１を背もたれフレーム３０に位置１１３である「下側の端部の位置」で回動可能に取り付けることを前提として、「背もたれシェル構造体３１を前方凸状形に押しつけることによって、腰掛けているユーザに最適の腰部支持を行うとともに、背もたれシェル構造体３１の弾性たわみ性の形状変更可能性と協働して、腰掛けているユーザの高度に調節可能で快適な背中支持を行う」甲１発明において、上記「位置１１３」を変更することの動機付けはなく、むしろ阻害要因が存在するというべきである。
　申立人は、本件発明７は、甲１、４、５に記載された発明及び周知技術１、または、甲１、４に記載された発明、周知技術１及び周知技術２に基いて、当業者が容易に発明をすることができたものである、と主張する。
　甲４記載の技術事項及び周知技術１についての検討は、上記「（１）（１−２）」で述べたとおりであり、甲５記載の技術事項についての検討は、上記「（４）」で述べたとおりであり、周知技術２についての検討は、上記「（５）」で述べたとおりであり、同様の理由により、本件発明７は、申立人が主張するように、甲１、４、５に記載された発明及び周知技術１、または、甲１、４に記載された発明、周知技術１及び周知技術２に基いて、当業者が容易に発明をすることができたものということはできない。
２−２　申立理由２（特許法第３６条第６項第１号）について
（１）特許法第３６条第６項は、「第２項の特許請求の範囲の記載は、次の各号に適合するものでなければならない。」と規定し、その第１号において「特許を受けようとする発明が発明の詳細な説明に記載したものであること。」と規定している。同号は、明細書のいわゆるサポート要件を規定したものであって、特許請求の範囲の記載が明細書のサポート要件に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである（知財高裁特別部判決平成１７年（行ケ）第１００４２号参照）。
　以下、この観点に立って検討する。 
（２）特許請求の範囲の記載
　特許請求の範囲の記載は、上記「第３」のとおりであり、本件発明１は、少なくとも「前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており」という事項（以下「事項Ａ」という。）を発明特定事項とするものである。
（３）発明の詳細な説明の記載
　本件明細書の発明の詳細な説明には、以下の事項が記載されている。
ア　「【０００１】
　本願発明は椅子に関し、特に、オフィスで使用される椅子を好適な対象にしている。
【背景技術】
・・・
【０００６】
　そこで、身体の動きへの背もたれの追従性を高めるための工夫が行われている。その例として
特許文献１〜４には、背もたれを着座者の体圧で変形し得る構造として、背もたれを、上端部の左右２カ所と下端部の左右中間部との３カ所においてバックフレームで支持することが記載されている。
【０００７】
　背もたれが着座者の体圧によって自由自在に変形すると、身体の安定性が損なわれるため却って快適さが劣る。すなわち、背もたれには、身体をしっかりと支える機能が求められる。特に、人が椅子に腰掛けて各種のデスクワークを行う場合、前屈みになっていると内蔵を圧迫して身体への負担が高くなるため、ロッキングしていない状態でも、人の身体（特に腰部）を支えて背筋を伸ばした状態に保持する必要性が高いと云える。
【０００８】
　このような身体の安定的支持機能という点から各特許文献を見ると、各特許文献の背もたれは上端の左右２カ所と下端部の左右中間部との三点支持になっているため、過度に変形することはないと云える。しかし、背もたれの下部は変形しやすいため、非ロッキング状態に身体をしっかりとサポートして背筋を伸ばした状態に保持する機能は高いと云えない。すなわち、
各特許文献は、非ロッキング状態での身体の安定的支持機能が十分でない可能性がある。
【０００９】
　また、椅子の使用態様としてロッキングした状態で身体を右や左に捩じったり肩を左右にずらしたりすることはよくあり、この場合、背もたれの上部の左側又は右側に荷重が集中するが、
各特許文献では背もたれの上部は変形し難いため、身体の姿勢変化に対する追従性が高いとは云えず、この面でも快適性に改善の余地がみられる。
【００１０】
　また椅子の背もたれは樹脂製の背板を備えていることが多いが、圧迫感を和らげてクッション性・フィット性を高める手段として、背板を柔軟な構造にすることが行われている。例えば本願の出願人は、
特許文献５において、背板に左右横長の長溝を多段に設けることで身体支持部を多段の帯板群で構成することを開示した。
【００１１】
　他方、
特許文献６には、ハニカム構造に類似した形態の背板が開示されており、特許文献７には、十字形状の穴と一直線状の穴とを規則正しく配置することで網のような構造と成した背もたれが開示されている。
【００１２】
　特許文献６と特許文献７は背もたれの身体支持部を網目構造と成したものであり、身体支持部を構成する細い条線の群はそれぞれ曲がっているため、条線の群は体圧によって伸び変形することが許容されており、このため、身体支持部全体としては後ろ側に凹むように変形し得る。
【００１３】
　さて、背もたれによる身体の支持機能を考察すると、柔軟性が高ければ足りるというわけではなく、身体を安定的に支持する機能も重要である。例えば、ロッキング状態で身体が揺れる傾向を呈すると、却って快適さが損なわれる場合がある。
【００１４】
　また、着座者が非ロッキング状態でパソコン操作のようなデスクワークを行う場合、腰部がしっかりと支持されていると、背筋を伸ばした適切な姿勢に保持されるため好ましいが、背もたれの柔軟性が高すぎると身体を安定的に支持することができない。
【００１５】
　そして、
特許文献６，７は一種の網目構造であって全体的に変形し易い構造になっているため、クッション性は高いものの、身体の安定的な支持という面では改善の余地があると云える。他方、特許文献５の帯板は過度に伸び変形することはないため身体の支持安定性に優れているが、各帯板の伸びには限度があるため柔軟性の点では改善の余地があると云える。
【先行技術文献】
【特許文献】
【００１６】
【特許文献１】　日本国特許公開２００２−１１９３６６号公報
【特許文献２】　日本国特許公開２００４−１２９９６６号公報
【特許文献３】　日本国特許公開２０１０−０６３８３１号公報
【特許文献４】　米国特許明細書第７２４９８０２号
【特許文献５】　日本国特許公開２０１１−０４１６１５号公報
【特許文献６】　日本国特許第４０１５６７３号公報
【特許文献７】　米国特許明細書第５９３４７５８号
【発明の概要】
【発明が解決しようとする課題】
【００１７】
　本
願発明はこのような現状を背景に成されたもので、使用価値が高められて改善された椅子を提供せんとするものである。また、本願は改良された多くの構成を含んでおり、これらを提供することも目的たり得る。
【００１８】
【課題を解決するための手段】
【００１９】
　本願発明は、各請求項で特定している。
【００２０】
　本願発明は、
「座と背もたれ、及び、前記背もたれの後ろに配置された剛体構造のバックフレームとを備えており、
前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している」
という基本構成である。
【００２１】
　そして、請求項１の発明は、上記基本構成において、
「前記バックフレームは、左右の縦長メンバーと、前記左右の縦長メンバーが繋がった連結部とを有しており、
前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体は、当該背枠体の弾性に抗して前後方向に回動可能な状態で前記バックフレームにて支持されている」
という構成が付加されている。
・・・
【００５１】
　
本願各発明では、背もたれは、上端部と左右２カ所との三点支持になっている。そして、パソコン操作のようなデスクワークを行うために使用者が背もたれに凭れ掛からずに着座している状態では、背もたれのうち左右の二点で支持された部分で腰部等を安定的に支えることができる。従って、背筋を伸ばした状態を的確に保持できて、使用者に適切な執務姿勢を採らせることができる。
本発明により、椅子への凭れ掛かり状態での快適性が向上する。
（４）検討
ア　本件明細書の発明の詳細な説明の記載（上記（３））によれば、本件発明１は、特許文献１〜４に記載された従来技術（段落【０００６】）では、非ロッキング状態での身体の安定的支持機能が十分でない可能性があること（段落【０００８】、背もたれの上部は変形し難いため、身体の姿勢変化に対する追従性が高いとは云えず、この面でも快適性に改善の余地がみられること（段落【０００９】）、特許文献５に記載された従来技術（段落【００１０】）では、帯板は過度に伸び変形することはないため身体の支持安定性に優れているが、各帯板の伸びには限度があるため柔軟性の点では改善の余地があること（段落【００１５】）、特許文献６、７に記載された従来技術（段落【００１１】〜【００１２】）では、一種の網目構造であって全体的に変形し易い構造になっているため、クッション性は高いものの、身体の安定的な支持という面では改善の余地があること（段落【００１５】）に鑑み、「使用価値が高められて改善された椅子を提供」すること（段落【００１７】）を課題するものである。
そして、かかる課題を解決するために、本件発明１は、上記事項Ａを発明特定事項として特定したものといえ（段落【００２１】）、さらに、上記事項Ａの「三点支持」によって、背もたれのうち左右の二点で支持された部分で腰部等を安定的に支えることができ、背筋を伸ばした状態を的確に保持できて、使用者に適切な執務姿勢を採らせることができる効果を奏するものと理解することができる（段落【００５１】）。
イ　したがって、背枠体のアッパーメンバーがバックフレームの連結部に直接取付けられるものか否か、また、背枠体の左右サイドメンバーがバックフレームの左右縦長メンバーに直接取付けられるものか否か、特定されていないとしても、上記事項Ａの「三点支持」の構造を有する本件発明１は、発明の詳細な説明に記載された発明で、発明の詳細な説明の記載により当業者が当該発明の課題を解決できると認識できる範囲のものであるといわざるを得ない。
　また、上記事項Ａと同様の構成を有する本件発明２〜７も、本件発明１と同様に、発明の詳細な説明に記載された発明で、発明の詳細な説明の記載により当業者が当該発明の課題を解決できると認識できる範囲のものであるといわざるを得ない。
（５）小括
　以上のとおりであるから、申立人の主張する申立理由２によっては、本件発明１〜７に係る特許を取り消すことはできない。
２−３　申立理由３（特許法第３６条第６項第２号）について
　申立人は、請求項１には、「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」と記載されているが、その意味を複数解釈できるから、不明瞭であり、また、請求項２〜７の記載も請求項１と同様に不明確である旨主張する（上記「第５　１（３）」）。
　しかし、上記事項Ａの「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」との記載は、「前記背枠体のアッパーメンバーは前記バックフレームの連結部に取付けられて」ていること、及び、「前記背枠体の左右サイドメンバーは、それぞれ中途高さ位置が前記バックフレームの左右縦長メンバーに取付けられて」いることを特定するものであって、その記載内容は明確である。
そして、上記「２−２」で述べたとおり、上記請求項１に係る本件発明１は、少なくとも、上記事項Ａの「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」とする構成を具備することで、本件発明１の課題を解決し、使用者に適切な執務姿勢を採らせることができる効果を奏するものと理解することができ、その技術的意義も明確である。
　したがって、上記事項Ａに係る記載を不明瞭であるということはできないし、同様の構成を特定する請求項２〜７の記載も、請求項１の記載と同様に不明瞭であるということはできない。
　以上のとおりであるから、申立人の主張する申立理由３によっては、本件発明１〜７に係る特許を取り消すことはできない。
２−４　申立理由４（特許法第３６条第４項第１号）について
申立人は、請求項６及び請求項７に記載されている「メッシュ材」に関し、本件明細書の発明の詳細な説明には、何ら記載や示唆がなされておらず、その材料や構造等が明らかでないから、本件明細書の発明の詳細な説明は、当業者が本件発明６及び７を実施することができる程度に明確かつ十分に記載したものでない旨主張する（上記「第５　１（４）」）。
　特許法第３６条第４項は、「前項第３号の発明の詳細な説明の記載は、次の各号に適合するものでなければならない。」と規定し、その第１号において「経済産業省令で定めるところにより、その発明の属する技術の分野における通常の知識を有する者がその実施をすることができる程度に明確かつ十分に記載したものであること。」と規定しているところ、「メッシュ」の字義は「網の目。網目織。」（広辞苑６版）であるから、技術常識を有する当業者は、請求項６及び請求項７に記載された「メッシュ材」を、網の目状の部材として理解し得るものといえる。
　また、上記請求項６及び請求項７には「メッシュ材」の具体的な材料や構造についてまで特定するものではなく、単に「メッシュ材」として特定しているのであるから、本件明細書の発明の詳細な説明に、その材料や構造について具体的な記載がなくても、「メッシュ材」、要するに、網の目状の部材、として構成すれば足りるのであるから、その実施をすることができないというものでもない。
　以上のとおりであるから、申立人の主張する申立理由４によっては、本件発明６、７に係る特許を取り消すことはできない。
　
２−５　申立理由５（特許法第１７条の２第３項）について
　申立人は、請求項１の「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」との記載は、当初明細書等に記載も示唆もなく、また、当初明細書等から自明の事項ともいえない旨、及び請求項２〜７の記載も請求項１と同様に記載も示唆もなく自明の事項といえない主張する（上記「第５　１（５）」）。
　しかし、当初明細書には、「そして、例えば図３のとおり、背もたれ３のうちアッパーメンバー９ｂの左右中間部は第１支持装置１２を介してバックフレーム４の上端の連結部４ｂに取り付けられる。そして、左右サイドメンバー９ａは、ランバーサポート部材１１の取付部の上の部位において、第２支持装置１３を介してバックフレーム４の縦長メンバー４ａに取付けられている。」（段落【００６４】）と記載され、また、図３には、上記「ランバーサポート部材１１の取付部の上の部位」が、上記「左右サイドメンバー９ａ」の中途高さ位置であることも図示されている。
　したがって、請求項１の「前記背枠体のアッパーメンバーは前記バックフレームの連結部に取付けられて、前記背枠体の左右サイドメンバーは、それぞれ中途高さ位置が前記バックフレームの左右縦長メンバーに取付けられており」との記載は、当初明細書等に記載した事項の範囲内においてしたものといえる。
　また、請求項１と同様に、請求項２〜７の記載も当初明細書等に記載した事項の範囲内においてしたものといえる。
　以上のとおりであるから、申立人の主張する申立理由５によっては、本件発明１〜７に係る特許を取り消すことはできない。
　　　
第６　むすび 
　以上のとおりであるから、本件取消理由通知に記載した取消理由及び特許異議申立書に記載した申立理由によっては、本件請求項１〜７に係る特許を取り消すことはできない。
また、他に本件請求項１〜７に係る特許を取り消すべき理由を発見しない。 
　よって、結論のとおり決定する。
【異議決定日】
令和２年１０月２０日（２０２０．１０．２０）
【訂正の要旨】
審決（決定）の【理由】欄参照。
（５４）【発明の名称】
椅子
　【技術分野】
　【０００１】
　本願発明は椅子に関し、特に、オフィスで使用される椅子を好適な対象にしている。
　【背景技術】
　【０００２】
　椅子が保持すべき要素の第１に使用者の快適さが挙げられる。特に、オフィスで使用される椅子は人が長時間座り続けるため、快適性は重要な要素になる。快適性を阻害する要因は幾つかあるが、代表的には、身体に当たる部分が硬いことによる圧迫感と、身体を動かし難い窮屈感とが挙げられる。そこで、圧迫感や窮屈感を低減するための対策が講じられている。
　【０００３】
　圧迫感の問題に対しては、座や背もたれにクッションを配置したり、座や背もたれをメッシュで構成したりして対応している。座板や背もたれ板に変形可能な構造を採用することも、柔らかさを向上させるのに有効である。
　【０００４】
　他方、窮屈感を防止又は低減するには、着座した状態での身体の動きを許容させたらよい。椅子にロッキング機能を持たせることは、窮屈感を和らげるための有効な手段である。しかし、単なるロッキング機能のみでは快適性の向上に限度がある。何故ならば、人は着座した状態で様々な姿勢を取るが、単なるロッキング機能では人の姿勢の変化に追従できないからである。
　【０００５】
　例えば、着座者が身体を捩じって横を向くことは普通に行われているが、背もたれが剛性構造であると、人が身体を捩じることで背もたれとの接触面積は少なくなるため、使用者は圧迫感を受けて快適性は低下する。
　【０００６】
　そこで、身体の動きへの背もたれの追従性を高めるための工夫が行われている。その例として特許文献１〜４には、背もたれを着座者の体圧で変形し得る構造として、背もたれを、上端部の左右２カ所と下端部の左右中間部との３カ所においてバックフレームで支持することが記載されている。
　【０００７】
　背もたれが着座者の体圧によって自由自在に変形すると、身体の安定性が損なわれるため却って快適さが劣る。すなわち、背もたれには、身体をしっかりと支える機能が求められる。特に、人が椅子に腰掛けて各種のデスクワークを行う場合、前屈みになっていると内蔵を圧迫して身体への負担が高くなるため、ロッキングしていない状態でも、人の身体（特に腰部）を支えて背筋を伸ばした状態に保持する必要性が高いと云える。
　【０００８】
　このような身体の安定的支持機能という点から各特許文献を見ると、各特許文献の背もたれは上端の左右２カ所と下端部の左右中間部との三点支持になっているため、過度に変形することはないと云える。しかし、背もたれの下部は変形しやすいため、非ロッキング状態に身体をしっかりとサポートして背筋を伸ばした状態に保持する機能は高いと云えない。すなわち、各特許文献は、非ロッキング状態での身体の安定的支持機能が十分でない可能性がある。
　【０００９】
　また、椅子の使用態様としてロッキングした状態で身体を右や左に捩じったり肩を左右にずらしたりすることはよくあり、この場合、背もたれの上部の左側又は右側に荷重が集中するが、各特許文献では背もたれの上部は変形し難いため、身体の姿勢変化に対する追従性が高いとは云えず、この面でも快適性に改善の余地がみられる。
　【００１０】
　また椅子の背もたれは樹脂製の背板を備えていることが多いが、圧迫感を和らげてクッション性・フィット性を高める手段として、背板を柔軟な構造にすることが行われている。例えば本願の出願人は、特許文献５において、背板に左右横長の長溝を多段に設けることで身体支持部を多段の帯板群で構成することを開示した。この特許文献５において、各帯板は、変形を容易化するため、左右端部に細いトリミング溝が設けられている。
　【００１１】
　他方、特許文献６には、ハニカム構造に類似した形態の背板が開示されており、特許文献７には、十字形状の穴と一直線状の穴とを規則正しく配置することで網のような構造と成した背もたれが開示されている。
　【００１２】
　特許文献６と特許文献７は背もたれの身体支持部を網目構造と成したものであり、身体支持部を構成する細い条線の群はそれぞれ曲がっているため、条線の群は体圧によって伸び変形することが許容されており、このため、身体支持部全体としては後ろ側に凹むように変形し得る。
　【００１３】
　さて、背もたれによる身体の支持機能を考察すると、柔軟性が高ければ足りるというわけではなく、身体を安定的に支持する機能も重要である。例えば、ロッキング状態で身体が揺れる傾向を呈すると、却って快適さが損なわれる場合がある。
　【００１４】
　また、着座者が非ロッキング状態でパソコン操作のようなデスクワークを行う場合、腰部がしっかりと支持されていると、背筋を伸ばした適切な姿勢に保持されるため好ましいが、背もたれの柔軟性が高すぎると身体を安定的に支持することができない。
　【００１５】
　そして、特許文献６，７は一種の網目構造であって全体的に変形し易い構造になっているため、クッション性は高いものの、身体の安定的な支持という面では改善の余地があると云える。他方、特許文献５の帯板は過度に伸び変形することはないため身体の支持安定性に優れているが、各帯板の伸びには限度があるため柔軟性の点では改善の余地があると云える。
　【先行技術文献】
　【特許文献】
　【００１６】
　【特許文献１】日本国特許公開２００２−１１９３６６号公報
　【特許文献２】日本国特許公開２００４−１２９９６６号公報
　【特許文献３】日本国特許公開２０１０−０６３８３１号公報
　【特許文献４】米国特許明細書第７２４９８０２号
　【特許文献５】日本国特許公開２０１１−０４１６１５号公報
　【特許文献６】日本国　特許第４０１５６７３号公報
　【特許文献７】米国特許明細書第５９３４７５８号
　【発明の概要】
　【発明が解決しようとする課題】
　【００１７】
　本願発明はこのような現状を背景に成されたもので、使用価値が高められて改善された椅子を提供せんとするものである。また、本願は改良された多くの構成を含んでおり、これらを提供することも目的たり得る。
　【００１８】
　【課題を解決するための手段】
　【００１９】
　本願発明は、各請求項で特定している。
　【００２０】
　本願発明は、
「座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している」
という基本構成である。
　【００２１】
　そして、請求項１の発明は、上記基本構成において、
「前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体は、当該背枠体の弾性に抗して前後方向に回動可能な状態で前記バックフレームにて支持されている」
という構成が付加されている。
　【００２２】
　請求項２の発明は、上記基本構成において、
「前記バックフレームは、左右の縦長メンバーと、前記左右の縦長メンバーが繋がった連結部とを有しており、
　
前記背枠体のアッパーメンバーは前記バックフレームの連結部に取付けられて、前記背枠体の左右サイドメンバーは
　かつ、前記背枠体のうち
前記バックフレームの連結部に対する
の
前記バックフレームの縦長メンバーに対する
の
との
という構成が付加されている。
　【００２３】
　請求項３の発明は、上記基本構成において、
「前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記身体支持部は、着座者の体圧によって後ろ向きに凹むように変形可能である」
という構成が付加されている。
　【００２４】
　請求項４の発明は、上記基本構成において、
「前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体のうち
前記バックフレームの連結部に対する
の
前記バックフレームの縦長メンバーに対する
の
との
という構成が付加されている。
　【００２５】
　請求項５の発明は、請求項１〜４のうちのいずれかにおいて、前記身体支持部は、前記背枠体に一体に形成された細いステーの群で構成されており、前記ステーの群は左右横長又は縦長の姿勢であり、隣り合ったステーは連結片で連結されており、更に、隣り合ったステーの間隔よりもステーの幅が小さくなっている。
　【００２６】
　請求項６の発明は、請求項１〜４のうちのいずれかにおいて、前記身体支持部は、前記背枠体とは別部材のメッシュ材で構成されており、前記メッシュ材が前記背枠体に取付けられている。
　【００２７】
　請求項７の発明は、上記基本構成において、
「前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記身体支持部は、前記背枠体に一体成形された左右横長又は縦長の多数本のステーを備えた構成であるか、又は、前記背枠体とは別体のメッシュ材からなる構成であって、着座者の体圧によって後ろ向きに凹み変形することが許容されている」
という構成が付加されている。
　【００２８】
　【００２９】
　【００３０】
　【００３１】
　【００３２】
　【００３３】
　【００３４】
　【００３５】
　【００３６】
　【００３７】
　【００３８】
　【００３９】
　【００４０】
　【００４１】
　【００４２】
　【００４３】
　【００４４】
　【００４５】
　【００４６】
　【００４７】
　【００４８】
　【００４９】
　【００５０】
　【発明の効果】
　【００５１】
　本願各発明では、背もたれは、上端部と左右２カ所との三点支持になっている。そして、パソコン操作のようなデスクワークを行うために使用者が背もたれに凭れ掛からずに着座している状態では、背もたれのうち左右の二点で支持された部分で腰部等を安定的に支えることができる。従って、背筋を伸ばした状態を的確に保持できて、使用者に適切な執務姿勢を採らせることができる。
　本発明により、椅子への凭れ掛かり状態での快適性が向上する。
　【図面の簡単な説明】
　【００５２】
　【図１】図１は実施形態に係る椅子の全体的な外観を示す図で、（Ａ）は前から見た斜視図、（Ｂ）は後ろから見た斜視図である。
　【図２】図２は椅子の全体構成を示す図で、（Ａ）は一部分離斜視図、（Ｂ）は側面図である。
　【図３】図３は要部の分離図で、（Ａ）は背もたれを通常の姿勢のままずらした状態の図、（Ｂ）は背もたれを水平旋回させて分離した図である。
　【図４】図４は支持装置とバックフレームとの関係を示す図で、（Ａ）はアッパー支持装置とバックフレームとの分離斜視図、（Ｂ）はアッパー支持装置及びサイド支持装置と背もたれとの分離斜視図、（Ｃ）はサイド支持装置と背もたれとの分離斜視図である。
　【図５】図５は、アッパー支持装置と背もたれとの関係を示す分離図である。
　【図６】図６は、サイド支持装置と背もたれとの関係を示す分離図である。
　【図７】図７はランバーサポート部材の説明図であり、（Ａ）（Ｂ）は分離斜視図、（Ｃ）は背もたれの平面図である。
　【図８】図８は、背もたれの正面図である。
　【図９】図９は、背もたれを前から見た斜視図である。
　【図１０】図１０は、背もたれを後ろから見た斜視図である。
　【図１１】図１１は、機能を説明するための分離図である。
　【発明を実施するための形態】
　【００５３】
　次に、本願発明の実施形態を図面に基づいて説明する。本実施形態は、オフィス等で多用されている回転椅子に適用している。なお、以下の実施形態及び特許請求の範囲で方向を特定するため「前後」「左右」の文言を使用しているが、これらの方向は、椅子に普通に腰掛けた人の向きを基準にしている。
　【００５４】
　（１）．椅子の概要
　図１，２のとおり、椅子は、主要要素として脚装置１と座２と背もたれ３とを備えており、背もたれ３は、その後ろに配置されたバックフレーム４に取り付けられている。脚装置１は、鉛直姿勢の脚支柱５とこれを支持する中心筒６とを備えており、中心筒６から５本の枝アームが放射方向に延びている。そして、各枝アームの先端にはキャスタが取り付けられている。
　【００５５】
　脚支柱５は、内筒と外筒とを有する伸縮式のガスシリンダで構成されており、図２（Ｂ）のとおり、脚支柱５の上端にベース７を取り付けて、ベース７にバックフレーム４がジョイント部材８を介して後傾動可能に連結されている。なお、バックフレーム４とジョイント部材８とを一体化することも可能である。脚支柱５を構成する内筒と外筒とは相対回転自在であり、このため、ベース７（及び座２と背もたれ３）は水平回転自在である。
　【００５６】
　図示は省略するが、ベース７には、バックフレーム４の後傾動を弾性的に支持するロッキングばねが内蔵されている。座２は、ベース７に設けた中間部材（図示せず）がその前部を中心にして後傾動しつつ後退動し得るように取付けられている。中間部材とジョイント部材８とは、左右横長の軸で相対動可能に連結されている。このため、座２は背もたれ３の後傾動に連動して後退しつつ後傾動する。
　【００５７】
　背もたれ３は、ポリプロピレン等の樹脂を素材にした射出成型法で製造されている。
　【００５８】
　背もたれ３は、その外周を構成する背枠体９と、その内部に位置した身体支持部１０とから成っている。背枠体９は、図８のとおり、左右両側を構成する一対のサイドメンバー９ａと、上端部を構成する左右横長のアッパーメンバー９ｂと、下端を構成する左右横長のロアメンバー９ｃとで概ね四角形に近い形態に形成されている。
　【００５９】
　背もたれ３の下端は、座面の近傍に位置している。背もたれ３のうち着座者の腰部に相当する高さ位置の前面には、着座者の腰部を支えるランバーサポート部材１１が配置されている。着座者の身長や好みはまちまちであるため、ランバーサポート部材１１は高さ調節可能である。
　【００６０】
　本実施形態の背もたれ３は、ランバーサポート部材１１の取り付け部が最も幅狭となるように括れた形状になっている。ただし、これに限定される必要はなく、背もたれ３の形態として、左右横幅が略一定である形態や、上端広幅で下端が幅狭い逆台形状や、上端が幅狭で下端が幅広の逆台形状など、任意の形態を採用できる。
　【００６１】
　例えば図３のとおり、バックフレーム４は、互いの間隔が上に行くに従って近づくように傾斜した左右の縦長メンバー４ａを有している。左右の縦長メンバー４ａの上端は、連結部４ｂを介して一体に繋がっている。
　【００６２】
　従って、左右の縦長メンバー４ａによって逆Ｖ形の形態が構成されている。左右縦長メンバー４ａの下端はロアステー部４ｃを介して一体に繋がっている。また、左右縦長メンバー４ａの下端には前向きアーム部４ｄを一体に設けている。前向きアーム部４ｄとロアステー部４ｃとは、図２に示したジョイント部材８に接続されている。例えば図４（Ｂ）から明らかなように、バックフレーム４の縦長メンバー４ａは、背面板と側面板とを有する断面Ｌ形に形成されている。このため、軽量ながら前後方向及び左右方向並びに捩じりに強い構造になっている。
　【００６３】
　本願発明のバックフレーム４には、樹脂の成型品又はアルミダイキャスト品を採用しているが、金属板や金属パイプを材料にして製造することも可能である。異種材料の複合品とすることも可能である。また、一体構造である必然性はないのであり、例えば左右の縦長メンバー４ａを別々に製造して上端において連結するなど、複数の部品で構成することも可能である。バックフレーム４にシェル構造品を採用することも可能である。
　【００６４】
　そして、例えば図３のとおり、背もたれ３のうち背枠体９を構成するアッパーメンバー９ｂの左右中間部は、アッパー持装置１２を介してバックフレーム４の上端の連結部４ｂに取り付けられる。そして、背枠体９の左右サイドメンバー９ａは、ランバーサポート部材１１の取付部の上の部位において、サイド支持装置１３を介してバックフレーム４の縦長メンバー４ａに取付けられている。この点を以下に詳述する。
　【００６５】
　（２）．背もたれの取付構造
　図４（Ａ）（Ｂ）に示すように、アッパー支持装置１２は、正面視Ｖ形に配置された２枚のばね部１２ａを有している。ばね部１２ａの上端には、左右横長の上取付部１２ｂが一体に繋がっている。そして、左右ばね板部１２ａの下端には、後ろ向きに突出した下取付部１２ｃが一体に繋がっている。アッパー支持装置１２は、ポリプロピレン等の樹脂を素材にして射出成型によって製造されており、ばね板部１２ａは上下長手の姿勢であるが、正面視では幅広で側面視では幅狭の板状の形態を成している。このため、前からの力で容易に曲がり変形させることができる。
　【００６６】
　下取付部１２ｃは、左右横長のブロック状（ボス状）に形成されている。バックフレーム４の連結部４ｂには、下取付部１２ｃが嵌まる前向き開口の後ろ側第１凹部１５が形成されている。下取付部１２ｃは、後ろ側第１凹所１５に下方から挿通した第１ボルト１６によって固定されている。図４（Ａ）のとおり、アッパー支持装置１２の取付部１２ｃには、第１ボルト１６がねじ込まれるナットをセットするためのナット挿入穴１７が後ろ向きに開口している。
　【００６７】
　図５に示すように、背もたれ３のアッパーメンバー９ｂは、外壁と内壁１８と中間壁１９とを有する内外３重構造を有しており、このため後ろ向きに開口した２条の長溝２０が形成されている。そして、内壁１９の左右中間部を例えば切欠くことで、アッパー支持装置１２の上取付部１２ｂが嵌まる前側第１凹部２１を形成している。アッパー支持装置１２の上取付部１２ｂは、下方から挿通した第２ボルト２２によってアッパーメンバー９ｂに固定されている。
　【００６８】
　背もたれ３のアッパーメンバー９ｂには、後ろ向きに開口したナット抱持部２３が形成されている。他方、アッパー支持装置１２の上取付部１２ｂには、アッパーメンバー９ｂのナット抱持部２３に後ろから当たるストッパー片２４が上向き突設されている。
　【００６９】
　サイド支持装置１３は、例えばナイロン樹脂のように剛性が高い樹脂を素材にして製造されている。そして、図５（Ｂ）（Ｃ）に示すように、サイド支持装置１３は、平面視で波形に緩く曲がった帯板状のアーム部１３ａを備えている。アーム部１３ａの後端には、後ろボス部１３ｂが一体に設けられ、アーム部１３ａの前端には、前ボス部１３ｃが一体に設けられている。アーム部１３ａは、着座者の体圧によって簡単には変形しない剛性を有している（ただし、少しは変形してもよい。）。
　【００７０】
　後ろボス部１３ｂは、バックフレーム４の縦長メンバー４ａに設けた後ろ側第２凹部２５に嵌め込まれている。後ろ側第２凹部２５には、第３ボルト２６が下方から挿通されている。サイド支持装置１３の後ろボス部１３ｂには、第３ボルト２６がねじ込まれるナット（図示せず）が組み込まれている。後ろボス部１３ｂには、後ろ側第２凹部２５の開口縁に重なるフランジ１３ｄを設けている。
　【００７１】
　図６に明示するように、背もたれ３のサイドメンバー９ａには、サイド支持装置１３の前ボス１３ｃが嵌まる前側第２凹部２７が形成されている。前側第２凹部２７は、概ね箱状の外観を呈しており、その内壁２７ａには、ボルト（図示せず）が通るボルト穴２８を空けている。他方、サイド支持装置１３の前ボス部１３ｃには、ナット取付溝２９が設けられており、ナット取付溝２９に配置したナットにボルトがねじ込まれる。
　【００７２】
　この場合、前側第２凹部２７の内側板２５ａには、ボルト穴２８の部分を厚肉化して強度を高めるための段部３０が形成されている。他方、サイド支持装置１３の前ボス部１３ｃには、前側第２凹部２７の段部３０に重なる切欠き部３１が形成されている。また、サイド支持装置１３の前ボス部１３ｃには、前側第２凹部２７の開口縁に重なるフランジ１３ｅが設けられている。
　【００７３】
　（３）．ランバーサポート部材
　次に、主に図７を参照して、ランバーサポート部材１１を説明する。ランバーサポート部材１１は、樹脂を素材にした成型品であり、例えばポリプロピレンのように、ある程度の弾性を有する素材から成っている。そして、ランバーサポート部材１１は、背もたれ３を横切る左右横長の形態であり、平面視では、前向き凹状に緩く湾曲している。また、ランバーサポート部材１１は、縦断側面視では、前向き突状に僅かに湾曲している。
　【００７４】
　ランバーサポート部材１１の左右両端には、角柱状で後ろ向きに突出したスライドボス体３４が一体に形成されている。スライドボス体３４は、背もたれ３のサイドメンバー９ａに設けた上下長手のガイド枠部３５にスライド自在に嵌まっている。図６に示されているように、ガイド枠部３５の内周は板部で構成されており、ガイド枠部３５の上端に既述の前側第２凹部２７が一体に繋がっている。
　【００７５】
　図７のとおり、スライドボス体３４の後端には、摘み３６に設けたブロック状の前向き突出部３６ａが嵌まっている。摘み３６の前向き突出部３６ａは、図示しないボルトによってスライドボス体３４に固定されている。スライドボス体３４には、ナット挿入溝３７を設けている。ランバーサポート部材１１は、高さを段階的に保持可能であり、高さ調節手段として、図６（Ａ）のように、ガイド枠部３５の内側板には多数のストッパー用穴３８を上下多段に設けている。
　【００７６】
　さて、背もたれにランバーサポート部材を設けることは広く行われているが、一般に、クッションの裏側やメッシュ材の裏側に配置していることが多い。しかし、ランバーサポート部材と身体との間にクッションやメッシュ材が介在していると、強い「当たり感」を求める人にとっては物足りないと感じる場合がある。また、背もたれがクッションやメッシュを備えていない場合など、背板の手前にランバーサポート部材を配置せねばならない場合がある。
　【００７７】
　その例として日本国特許公開２００８−２３７３３３号公報には、背もたれを枠部とその内側の背板とで構成して、背板に多数のスリットを設けた構成において、ランバーサポート部材を背板の手前に配置することが開示されている。そしてこの文献では、ランバーサポート部材の左右両端部に、枠部に外側から嵌まるクリップ方式の把手を一体に設けて、把手で枠部を弾性的に抱持することが開示されている。
　【００７８】
　しかし、この公報のように把手を枠部に外から嵌め込む構成では、把手が枠部の左右外側にはみ出るため、人の衣服が把手に引っ掛かったり、物が把手に当たって把手が破損したりする不具合が懸念される。また、把手は摩擦によって高さを保持しているに過ぎないため、着座者の体圧によってランバーサポート部材がずり下がったりずり上がったりする可能性もある。
　【００７９】
　これに対して本実施形態では、ランバーサポート部材１１の左右両端部に設けたスライドボス３４が背枠体９のガイド枠部３５に貫通しているため、摘み３６は背枠体９の左右外側からはみ出ないように配置することができる。これにより、摘み３６に衣服が引っ掛かったり物が当ったりすることを防止又は著しく抑制できる。また、ガイド枠部３５に高さ調節用のストッパー穴３８の高さ一保持手段を設けることも簡単であるため、ランバーサポート部材１１を所望の高さにずれ移動不能に保持できる。
　【００８０】
　なお、高さ調節手段は様々の構成を採用できる。実施形態のようにガイド枠部３５にストッパー穴３８を設けた場合は、摘み３６のブロック状前向き突出部に、ガイド枠部３５に嵌脱する弾性部材を設けたら良い。ガイド枠部３５はある程度の前後幅を有するため、スライドボス体３４を貫通させたことによる強度低下は生じない。摘み３６は、単なる板状としてこれをスライドボス体３４にねじ止めすることも可能である。
　【００８１】
　（４）．背もたれの構造
　次に、背もたれ３のうち身体支持部１０の構造の詳細を、主として図８〜１０に基づいて説明する。図８のとおり、本実施形態では、身体支持部１０は、背枠体９の左右のサイドメンバー９ａに繋がった横長のサイドステー４０の群と、サイドステー４０の群の間に位置した横長のセンターステー４１の群とを有しており、両ステー４０，４１の群は上下にずれた状態に配置されている。センターステー４１の群でセンターエリアが構成されており、サイドステー４０の群でサイドエリアが構成されている。
　【００８２】
　そして、左右に隣り合ったセンターステー４１の左右両端とサイドステー４０の先端とは、連結片（ジョイントステー）４２で一体に繋がっている。この場合、サイドステー４０の先端とセンターステー４１の端との間に左右間隔が少し空いており、このため、連結片４２は正面視において傾斜姿勢になっている。更に、センターステー４１とサイドステー４０とは上下にずれて配置されているため、上下に隣り合った連結片４２は姿勢が逆向きになっている。かつ、上下に隣り合った連結片４２の付け根とステー４０，４１とが一体に繋がっている。従って、連結片４２の群は正面視でジグザグに曲がった形態を成している。
　【００８３】
　背もたれ３は、下寄りの部分が幅狭となるように正面視で括れており、このため、背もたれ３のサイドメンバー９ａも外向き凹状に湾曲した形態になっているが、連結片４２もサイドメンバー９ａの形状に倣うように正面視で外向き凹状に湾曲している。また、サイドメンバー９ａとセンターステー４１とは概ね同じ程度の左右長さになっている。
　【００８４】
　サイドステー４０とセンターステー４１とは、前後面を広幅面と成した板状の構造であるが、図１０のとおり、サイドステー４０及びセンターステー４１の後面には、リブ４３を一体に設けている。従って、サイドステー４０及びセンターステー４１の断面形状は横向きＴ形になっている。リブ４３の後面は、連結片４２の後面と同一面を成している。連結片４２は、細い帯板の外観を呈しており、従って、横向きＶの角度が広がったり狭まったりするように容易に変形し得る。すなわち、ランバーサポート部材１１では、ステー４０，４１の密度が高くなっている。このため、ランバーサポート部では、他の部位に比べて剛性が高くなっている。
　【００８５】
　サイドステー４０及びセンターステー４１の群は上下多段に配置されているので、上下に隣り合ったサイドステー４０の間とセンターステー４１との間とには、それぞれ左右横長の空間４４が空いている。そして、本実施形態では、ランバーサポート部を除いて空間４４の上下幅寸法はステー４０，４１の上下幅の２倍程度になっている。ランバーサポート部では、空間４４の上下幅寸法はステー４０，４１の上下幅と同じ程度に設定している。このため、ランバーサポート部では剛性が高くなっている。
　【００８６】
　もとより、サイドステー４０やセンターステー４１の上下幅やピッチ（密度）は任意に設定できるのであり、例えば、ステー４０，４１の上下幅寸法と空間４５とを上下全体にわたって同じ程度に設定することや、全体にわたってステー４０，４１の上下幅寸法を空間４５の上下幅寸法より小さくすることも可能である。
　【００８７】
　また、本実施形態では、身体支持部１０を２列のサイドステー４０と１列のセンターステー４１とで構成したが、これに限定される必要はなく、センターステー４１を設けずに左右のサイドステー４０とこれを繋ぐ１本の連結片４２で構成することや、２列のサイドステー４０とその間に位置した２列の中間ステーとで構成することも可能である。２列の中間ステーを設ける場合は、３本の連結片４２が必要である。更に、身体支持部１０は、２列のサイドステー４０と１列のセンターステー４１と２列の中間ステーとの５列のステー群で構成することも可能である。更に、背もたれ３は他の形態も採用できる。
　【００８８】
　（５）．まとめ
　次に、図１１を参照して作用を説明する（この説明は、一般的な体重・体格の人が使用している状態を想定している。）。まず、ロッキング状態について説明する。
　【００８９】
　例えばロッキング状態における着座者の体圧は、背もたれ３に対して矢印Ｆのように前から作用し、背もたれ３に作用した荷重はアッパー支持装置１２とサイド支持装置１３とで支えられる。そして、アッパー支持装置１２は、図１１の矢印Ｙのとおり、前からの荷重で上端が後ろに移動するように側面視で曲がり変形可能である一方、サイド支持装置１３は、図１１の矢印Ｘのとおり、先端が後ろに移動するように平面視で曲がり変形可能であるが、サイド支持装置１３は剛性が高いため、背もたれ３のバックフレーム４はサイド支持装置１３でしっかりと保持されていて、着座者の腰部は安定良く保持されている。
　【００９０】
　他方、ロッキングによるモーメントは、背もたれ３に上端部に大きく作用するものであるが、アッパー支持装置１２はサイド支持装置１３に比べて剛性が低くて体圧で撓み変形しやすいため、ロッキングに際して、背もたれ３はその上端部がバックフレーム４の上端部に近づくようにしなり変形し得る。すなわち、前後方向に回動しうる。この背もたれ３のしなり変形により、ロッキング時のクッション性を向上させることができる。
　【００９１】
　また、ロッキング状態で人が上半身を右又は左に捩じったり、肩を右又は左にずらしたりすると、アッパー支持装置１２を構成する左右２本のばね部１２ａが不均一に曲がり変形することで、身体のねじりやずらしに追従して背もたれ３が捩じられるように変形し得る。従って、背もたれ３を身体の姿勢の変化に追従させることができ、その結果、快適性を向上できる。
　【００９２】
　図１１から明らかなように、背もたれ３は平面視で前向き凹状に緩く湾曲しており、湾曲の程度はランバーサポート部材１１のあたりで最も大きくなっていて、上端部は殆どフラットな状態になっている。このため、腰部は左右にずれないように保持しつつ、肩（又は肩に近い部分）を左右にずらすことが容易ならしめられている。この点からも高い快適性を得ることができる。
　【００９３】
　図２（Ｂ）のとおり、着座者が背もたれ３に凭れていないニュートラル状態では、背もたれ３は少し後傾姿勢になっており、ランバーサポート部材１１が最も前に位置している。そして、使用者がパソコン操作等のデスクワークを行う場合は、使用者は腰部を背もたれ３のランバーサポート部材１１に当てた姿勢を採るが、サイド支持装置１３は剛性が高いためニュートラル状態で着座者の体圧で背もたれ３が撓み変形することはなく、人の腰部は背もたれ３で安定良く支持される。このため、使用者の上半身は、ふらつくようなことはなくて背筋を伸ばした好ましい姿勢に保持される。従って、ニュートラル状態（非ロッキング状態）での姿勢保持機能にも優れている。
　【００９４】
　本実施形態の背もたれ３は、サイドステー４０とセンターステー４１とが上下にずれていることと連結片４２がジグザグの形態であることとにより、着座者の体圧によって身体支持部１０が後ろに脹れるように撓み変形し得る。このため、使用者の身体へのフィット性に優れていると共に、身体の動きへの追従性にも優れている。
　【００９５】
　また、上下に隣り合った連結片４２が互いの開き角度（Ｖの角度）を小さくするように変形することにより、センターステー４１が後ろにずれる傾向を呈するのであり、結果として、身体支持部１０は後ろ向きに脹れるように変形する。このため、クッション性及び使用者の身体へのフィット性を向上できるのである。
　【００９６】
　本出願は、２０１３年６月６日出願の米国特許仮出願（６１／８３１，７６３）に基づくものであり、その内容はここに参照として取り込まれる。
　【産業上の利用可能性】
　【００９７】
　本発明により、凭れ掛かり状態での快適性が向上した椅子を提供することができる。さらに、強度を確保し、製造の手間を省くことができると共に、品質のバラツキを防止した椅子を提供できる。
　【符号の説明】
　【００９８】
　　１　脚装置
　　２　座
　　３　背もたれ
　　４　バックフレーム
　　５　脚支柱
　　６　中心筒
　　７　ベース
　　８　ジョイント部材
　　９　背枠体
　　９ａ　サイドメンバー
　　９ｂ　アッパーメンバー
　　９ｃ　ロアメンバー
　１０　身体支持部
　１１　ランバーサポート部材
　１２　アッパー支持装置
　１２ａ　ばね部
　１２ｂ　上取付部
　１２ｃ　下取付部
　１３　サイド支持装置
　１３ａ　アーム部
　１３ｂ　後ろボス部
　１３ｃ　前ボス部
　１３ｅ　フランジ
　１５　後ろ側第１凹所
　１６　第１ボルト
　１８　内壁
　１９　中間壁
　２２　第２ボルト
　２３　ナット抱持部
　２４　ストッパー片
　２５　後ろ側第２凹部
　２５ａ　内側板
　２６　第３ボルト
　２７　前側第２凹部
　２８　ボルト穴
　２９　ナット取付溝
　３０　段部
　３１　切欠き部
　３４　スライドボス体
　３５　ガイド枠部
　３６　摘み
　３６ａ　前向き突出部
　３７　ナット挿入溝
　３８　ストッパー用穴
　４０　サイドステー
　４１　センターステー
　４２　連結片
　４３　リブ
　４４　空間
　４５　空間
（５７）【特許請求の範囲】
　【請求項１】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体は、当該背枠体の弾性に抗して前後方向に回動可能な状態で前記バックフレームにて支持されている、
椅子。
　【請求項２】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体のうち
前記バックフレームの連結部に対する
の
前記バックフレームの縦長メンバーに対する
の
との
椅子。
　【請求項３】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記身体支持部は、着座者の体圧によって後ろ向きに凹むように変形可能である、
椅子。
　【請求項４】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記背枠体のうち
前記バックフレームの連結部に対する
の
前記バックフレームの縦長メンバーに対する
の
との
椅子。
　【請求項５】
　前記身体支持部は、前記背枠体に一体に形成された細いステーの群で構成されており、前記ステーの群は左右横長又は縦長の姿勢であり、隣り合ったステーは連結片で連結されており、更に、隣り合ったステーの間隔よりもステーの幅が小さくなっている、
請求項１〜４のうちのいずれかに記載した椅子。
　【請求項６】
　前記身体支持部は、前記背枠体とは別部材のメッシュ材で構成されており、前記メッシュ材が前記背枠体に取付けられている、
請求項１〜４のうちのいずれかに記載した椅子。
　【請求項７】
　座と背もたれ、及び、前記背もたれの後ろに配置された剛体構造のバックフレームとを備えており、
　前記背もたれは、その周囲を構成する合成樹脂製の背枠体と、この背枠体で囲われた身体支持部とを備えていて、前記背枠体は、その左右側部を構成する上下長手の左右サイドメンバーと、上端部を構成する左右長手のアッパーメンバーと、下端部を構成するロアメンバーとを有している構成であって、
　前記バックフレームは、左右の縦長メンバーと、前記左右の縦長メンバーが繋がった連結部とを有しており、
　前記背枠体のアッパーメンバーは前記バックフレームの連結部に取付けられて、前記背枠体の左右サイドメンバーは、それぞれ中途高さ位置が前記バックフレームの左右縦長メンバーに取付けられており、従って、前記背枠体は、前記バックフレームに三点支持の状態で支持されていて下端は自由端になっており、
　かつ、前記身体支持部は、前記背枠体に一体成形された左右横長又は縦長の多数本のステーを備えた構成であるか、又は、前記背枠体とは別体のメッシュ材からなる構成であって、着座者の体圧によって後ろ向きに凹み変形することが許容されている、
椅子。